(57)【要約】【課題】フィールドシーケンシャル方式における色割れを低減することを目的とする。【解決手段】第１乃至第３の画素領域、駆動回路を有する表示パネルと、第１の画素領域に対応し第１の画素領域への映像信号の書き込みの後に点灯される第１の光源領域、第２の画素領域に対応し第２の画素領域への映像信号の書き込みの後に点灯される第２の光源領域、及び第３の画素領域に対応し第３の画素領域への映像信号の書き込みの後に点灯される第３の光源領域に分割されるバックライト部と、複数の記憶回路より映像信号を駆動回路に供給するための映像信号選択回路と、駆動回路を制御するための制御信号を供給するコントロール回路と、バックライト制御信号及び選択信号を供給する順序決定回路と、カオス乱数を用いて順序決定回路での色の選択を行うための乱数発生回路と、を有する。【選択図】図１
2016053729.tif 000002
【特許請求の範囲】
【請求項１】
表示パネルと、バックライト部と、乱数発生回路と、を有し、
前記表示ネルは、画素部を有し、
前記画素部は、第１の画素領域と、第２の画素領域と、第３の画素領域と、を有し、
前記バックライト部は、前記第１の画素領域に対応する第１の光源領域と、前記第２の画素領域に対応する第２の光源領域と、前記第３の画素領域に対応する第３の光源領域と、を有し、
前記乱数発生回路は、乱数信号を生成する機能を有し、
１フレーム期間は、第１の期間と、第２の期間と、第３の期間と、を有し、
前記第１の期間では、
第１の色の映像信号を前記第１の画素領域の画素に書き込んだ後に第１の色に前記第１の光源領域を点灯させ、
第２の色の映像信号を前記第２の画素領域の画素に書き込んだ後に第２の色に前記第２の光源領域を点灯させ、
第３の色の映像信号を前記第３の画素領域の画素に書き込んだ後に第３の色に前記第３の光源領域を点灯させ、
前記第２の期間では、
第３の色の映像信号を前記第１の画素領域の画素に書き込んだ後に第３の色に前記第１の光源領域を点灯させ、
第１の色の映像信号を前記第２の画素領域の画素に書き込んだ後に第１の色に前記第２の光源領域を点灯させ、
第２の色の映像信号を前記第３の画素領域の画素に書き込んだ後に第２の色に前記第３の光源領域を点灯させ、
前記第３の期間では、
第２の色の映像信号を前記第１の画素領域の画素に書き込んだ後に第２の色に前記第１の光源領域を点灯させ、
第３の色の映像信号を前記第２の画素領域の画素に書き込んだ後に第３の色に前記第２の光源領域を点灯させ、
第１の色の映像信号を前記第３の画素領域の画素に書き込んだ後に第１の色に前記第３の光源領域を点灯させる液晶表示装置であって、
１フレーム期間毎に、前記乱数信号に基づいて、第１の動作、第２の動作及び第３の動作のいずれか一を選択する機能を有し、
前記第１の動作では、第１の色が赤色であり、第２の色が青色であり、第３の色が緑色であり、
前記第２の動作では、第１の色が緑色であり、第２の色が赤色であり、第３の色が青色であり、
前記第３の動作では、第１の色が青色であり、第２の色が緑色であり、第３の色が赤色であることを特徴とする液晶表示装置。
【請求項２】
表示パネルと、バックライト部と、乱数発生回路と、を有し、
前記表示ネルは、画素部を有し、
前記画素部は、第１の画素領域と、第２の画素領域と、第３の画素領域と、を有し、
前記バックライト部は、前記第１の画素領域に対応する第１の光源領域と、前記第２の画素領域に対応する第２の光源領域と、前記第３の画素領域に対応する第３の光源領域と、を有し、
前記乱数発生回路は、乱数信号を生成する機能を有し、
１フレーム期間は、第１の期間と、第２の期間と、第３の期間と、第４の期間と、第５の期間と、を有し、
前記第１の期間では、
第１の色の映像信号を前記第１の画素領域の画素に書き込んだ後に第１の色に前記第１の光源領域を点灯させ、
前記第２の光源領域が消灯しており、
前記第３の光源領域が消灯しており、
前記第２の期間では、
第３の色の映像信号を前記第１の画素領域の画素に書き込んだ後に第３の色に前記第１の光源領域を点灯させ、
第１の色の映像信号を前記第２の画素領域の画素に書き込んだ後に第１の色に前記第２の光源領域を点灯させ、
前記第３の光源領域が消灯しており、
前記第３の期間では、
第２の色の映像信号を前記第１の画素領域の画素に書き込んだ後に第２の色に前記第１の光源領域を点灯させ、
第３の色の映像信号を前記第２の画素領域の画素に書き込んだ後に第３の色に前記第２の光源領域を点灯させ、
第１の色の映像信号を前記第３の画素領域の画素に書き込んだ後に第１の色に前記第３の光源領域を点灯させ、
前記第４の期間では、
前記第１の光源領域が消灯しており、
第２の色の映像信号を前記第２の画素領域の画素に書き込んだ後に第２の色に前記第２の光源領域を点灯させ、
第３の色の映像信号を前記第３の画素領域の画素に書き込んだ後に第３の色に前記第３の光源領域を点灯させ、
前記第５の期間では、
前記第１の光源領域が消灯しており、
前記第２の光源領域が消灯しており、
第２の色の映像信号を前記第３の画素領域の画素に書き込んだ後に第２の色に前記第３の光源領域を点灯させる液晶表示装置であって、
１フレーム期間毎に、前記乱数信号に基づいて、第１の動作、第２の動作及び第３の動作のいずれか一を選択する機能を有し、
前記第１の動作では、第１の色が赤色であり、第２の色が青色であり、第３の色が緑色であり、
前記第２の動作では、第１の色が緑色であり、第２の色が赤色であり、第３の色が青色であり、
前記第３の動作では、第１の色が青色であり、第２の色が緑色であり、第３の色が赤色であることを特徴とする液晶表示装置。
【請求項３】
請求項２において、
前記第１の期間では、
映像信号を前記第２の画素領域に書き込まず、
映像信号を前記第３の画素領域に書き込まず、
前記第２の期間では、
映像信号を前記第３の画素領域に書き込まず、
前記第４の期間では、
映像信号を前記第１の画素領域に書き込まず、
前記第５の期間では、
映像信号を前記第１の画素領域に書き込まず、
映像信号を前記第２の画素領域に書き込まないことを特徴とする液晶表示装置。
【請求項４】
請求項１乃至請求項３において、
前記画素は、トランジスタを有し、
前記トランジスタは、酸化物半導体層にチャネル形成領域を有することを特徴とする液晶表示装置。
【発明の詳細な説明】
【技術分野】
【０００１】
本発明は、液晶表示装置及び液晶表示装置の駆動方法に関する。特に、フィールドシーケ
ンシャル方式で表示を行う液晶表示装置及び液晶表示装置の駆動方法に関する。
【背景技術】
【０００２】
液晶表示装置の表示方法として、カラーフィルター方式及びフィールドシーケンシャル方
式が知られている。カラーフィルター方式によって表示を行う液晶表示装置では、各画素
に、特定色を呈する波長の光のみを透過するカラーフィルター（例えば、Ｒ（赤）、Ｇ（
緑）、Ｂ（青））を有する複数の副画素が設けられる。そして、副画素毎に白色光の透過
を制御し、且つ画素毎に複数の色を混色することで所望の色を形成している。一方、フィ
ールドシーケンシャル方式によって表示を行う液晶表示装置では、異なる色を呈する複数
の光源（例えば、Ｒ（赤）、Ｇ（緑）、Ｂ（青））が設けられる。そして、当該異なる色
を呈する複数の光源が順次発光し、且つ画素毎にそれぞれの色を呈する光の透過を制御す
ることで所望の色を形成している。
【０００３】
フィールドシーケンシャル方式は、カラーフィルター方式と比較し、以下の利点を有する
。まず、フィールドシーケンシャル方式によって表示を行う液晶表示装置では、各画素に
副画素を設ける必要がない。そのため、開口率を向上させること又は画素数を増加させる
ことが可能である。加えて、フィールドシーケンシャル方式によって表示を行う液晶表示
装置では、カラーフィルターを設ける必要がなく、カラーフィルターによる光吸収による
光の損失がない。そのため、フィールドシーケンシャル方式によって表示を行う液晶表示
装置では、透過率の向上及び消費電力の低減が可能である。
【０００４】
特許文献１では、フィールドシーケンシャル方式によって表示を行う液晶表示装置が開示
されている。具体的には、各画素に、映像信号の入力を制御するトランジスタと、該映像
信号を保持する信号保持容量と、該信号保持容量から表示画素容量への電荷の移動を制御
するトランジスタとが設けられた液晶表示装置が開示されている。当該構成を有する液晶
表示装置は、信号保持容量に対する映像信号の書き込みと、表示画素容量が保持する電荷
に応じた表示とを並行して行うことが可能である。
【先行技術文献】
【特許文献】
【０００５】
【特許文献１】特開２００９−４２４０５号公報
【発明の概要】
【発明が解決しようとする課題】
【０００６】
フィールドシーケンシャル方式によって表示を行う液晶表示装置は、各画素に対する映像
信号の入力頻度を向上させる必要がある。例えば、Ｒ（赤）、Ｇ（緑）、Ｂ（青）の３色
をバックライトの光源としたフィールドシーケンシャル方式によって表示を行う液晶表示
装置は、白色光をバックライトの光源としたカラーフィルター方式によって表示を行う液
晶表示装置と比較し、各画素に対する映像信号の入力頻度を少なくとも３倍にする必要が
ある。具体的に述べると、フレーム周波数が６０Ｈｚである場合、カラーフィルター方式
によって表示を行う液晶表示装置では各画素に対する映像信号の入力を１秒間に６０回行
う必要があるのに対し、Ｒ（赤）、Ｇ（緑）、Ｂ（青）の３色を光源としたフィールドシ
ーケンシャル方式によって表示を行う液晶表示装置では各画素に対する映像信号の入力を
１秒間に１８０回行う必要がある。
【０００７】
フィールドシーケンシャル方式によって表示を行う液晶表示装置では、色割れ（カラーブ
レーキングともいう）という固有の問題が知られている。映像信号の入力頻度を増やすこ
とで、色割れの問題は低減されるものの、トランジスタのスイッチング動作の応答特性を
向上させることが求められる等の別の課題が顕在化してくる。
【０００８】
そこで、本発明の一態様は、トランジスタのスイッチング動作の応答特性を向上させるこ
となく、フィールドシーケンシャル方式における色割れを低減することを課題の一とする
。
【課題を解決するための手段】
【０００９】
本発明の一態様は、第１の画素領域、第２の画素領域、及び第３の画素領域、並びに第１
の画素領域乃至第３の画素領域の各画素への映像信号の書き込みを同時に行うための駆動
回路を有する表示パネルと、第１の画素領域に対応し第１の画素領域への映像信号の書き
込みの後に点灯される第１の光源領域、第２の画素領域に対応し第２の画素領域への映像
信号の書き込みの後に点灯される第２の光源領域、及び第３の画素領域に対応し第３の画
素領域への映像信号の書き込みの後に点灯される第３の光源領域に分割された複数色の光
源と、第１の光源領域乃至第３の光源領域における複数色の光源がそれぞれ異なる色の点
灯となるよう複数色の光源を制御するためのバックライト制御回路と、を有するバックラ
イト部と、映像信号を複数色のいずれか一の色に応じて記憶する複数の記憶回路を有し、
記憶回路より映像信号を駆動回路に供給するための映像信号選択回路と、駆動回路を制御
するための制御信号を供給するコントロール回路と、バックライト制御回路に供給される
バックライト制御信号、及び映像信号選択回路に供給される選択信号を、コントロール回
路が駆動回路に供給する制御信号に応じて供給する順序決定回路と、順序決定回路での色
の選択を行うための乱数発生回路と、を有するフィールドシーケンシャル方式の液晶表示
装置である。
【００１０】
本発明の一態様は、第１の画素領域、第２の画素領域、及び第３の画素領域、並びに第１
の画素領域乃至第３の画素領域の各画素への映像信号の書き込みを同時に行うための駆動
回路を有する表示パネルと、第１の画素領域に対応し第１の画素領域への映像信号の書き
込みの後に点灯される第１の光源領域、第２の画素領域に対応し第２の画素領域への映像
信号の書き込みの後に点灯される第２の光源領域、及び第３の画素領域に対応し第３の画
素領域への映像信号の書き込みの後に点灯される第３の光源領域に分割された複数色の光
源と、第１の光源領域乃至第３の光源領域における複数色の光源がそれぞれ異なる色の点
灯となるよう複数色の光源を制御するためのバックライト制御回路と、を有するバックラ
イト部と、映像信号を複数色のいずれか一の色に応じて記憶する複数の記憶回路を有し、
記憶回路より映像信号を駆動回路に供給するための映像信号選択回路と、駆動回路を制御
するための制御信号を供給するコントロール回路と、バックライト制御回路に供給される
バックライト制御信号、及び映像信号選択回路に供給される選択信号を、コントロール回
路が駆動回路に供給する制御信号に応じて供給する順序決定回路と、カオス乱数を発生し
、順序決定回路での色の選択を行うための乱数発生回路と、を有するフィールドシーケン
シャル方式の液晶表示装置である。
【００１１】
本発明の一態様において、複数色の光源は、赤色の光源、緑色の光源、及び青色の光源で
あるフィールドシーケンシャル方式の液晶表示装置でもよい。
【００１２】
本発明の一態様において、複数色の光源が点灯することでカラー表示が得られる期間にお
いて、第１の光源領域乃至第３の光源領域が有する複数色の光源の各色の点灯は、第１の
光源領域乃至第３の光源領域毎に異なるフィールドシーケンシャル方式の液晶表示装置で
もよい。
【００１３】
本発明の一態様において、複数色の光源が点灯することでカラー表示が得られる期間にお
いて、複数色の光源が点灯する期間の前後の期間において、複数色の光源を非点灯とする
フィールドシーケンシャル方式の液晶表示装置でもよい。
【００１４】
本発明の一態様において、複数の画素は、列毎に複数設けられた信号線のいずれか一に電
気的に接続されるフィールドシーケンシャル方式の液晶表示装置でもよい。
【００１５】
本発明の一態様において、複数の画素に、各行に設けられた走査線を同時に走査するため
の複数のシフトレジスタより走査信号が供給されるフィールドシーケンシャル方式の液晶
表示装置でもよい。
【発明の効果】
【００１６】
本発明の一態様のフィールドシーケンシャル方式によって表示を行う液晶表示装置は、ト
ランジスタのスイッチング動作の応答特性を向上させることなく、色割れを低減すること
ができる。
【図面の簡単な説明】
【００１７】
【図１】本発明の一形態におけるブロック図。
【図２】本発明の一形態における回路図。
【図３】本発明の一形態における回路図。
【図４】本発明の一形態におけるタイミングチャート図。
【図５】本発明の一形態における回路図、及びブロック図。
【図６】本発明の一形態におけるタイミングチャート図。
【図７】本発明の一形態におけるタイミングチャート図およびバックライトの点灯順序を説明する図。
【図８】本発明の一形態におけるバックライトの点灯順序を説明する図。
【図９】本発明の一形態におけるタイミングチャート図。
【図１０】本発明の一形態におけるバックライトの点灯順序を説明する図。
【図１１】本発明の一形態におけるバックライトの点灯順序を説明する図。
【図１２】本発明の一形態に適用できるトランジスタの例を説明するための断面図。
【図１３】本発明の一形態における電子機器を説明する図。
【図１４】本発明の一形態における模式図。
【図１５】本発明の一形態における平面図及び模式図。
【図１６】本発明の一形態における平面図及び断面図。
【図１７】本発明の一形態における平面図及び断面図。
【図１８】本発明の一形態におけるブロック図。
【図１９】本発明の一形態におけるカオス乱数を説明するための図。
【図２０】本発明の一形態における断面図。
【図２１】本発明の一形態における上面図。
【発明を実施するための形態】
【００１８】
以下、本発明の実施の形態ついて図面を参照しながら説明する。但し、本発明は多くの
異なる態様で実施することが可能であり、本発明の趣旨及びその範囲から逸脱することな
くその形態及び詳細を様々に変更し得ることは当業者であれば容易に理解される。従って
実施の形態の記載内容に限定して解釈されるものではない。なお、以下に説明する本発明
の構成において、同じ物を指し示す符号は異なる図面間において共通とする。
【００１９】
なお、各実施の形態の図面等において示す各構成の、大きさ、層の厚さ、信号波形、又は
領域は、明瞭化のために誇張されて表記している場合がある。よって、必ずしもそのスケ
ールに限定されない。
【００２０】
なお本明細書にて用いる第１、第２、第３、乃至第Ｎ（Ｎは自然数）という用語は、構成
要素の混同を避けるために付したものであり、数的に限定するものではないことを付記す
る。
【００２１】
（実施の形態１）
まず液晶表示装置のブロック図について図１に示す。図１に示す液晶表示装置は、表示パ
ネル１８１、バックライト部１８２、映像信号選択回路１８３、コントロール回路１８４
、順序決定回路１８５、乱数発生回路１８６を有する。
【００２２】
表示パネル１８１は、画素部１８７、走査線駆動回路１８８、信号線駆動回路１８９を有
する。画素部１８７は、複数の画素１９０を有する。画素１９０は、画素を選択するため
の回路部となるトランジスタと、該トランジスタに接続された画素電極と、容量素子を有
する。なお該画素電極とそれに対になる電極との間に液晶層を挟持して液晶素子が形成さ
れる。走査線駆動回路１８８及び信号線駆動回路１８９には、コントロール回路１８４よ
り駆動回路を動作させるための制御信号（クロック信号、スタートパルス等）が供給され
る。また、信号線駆動回路１８９には、映像信号選択回路１８３より、選択された映像信
号が供給される。
【００２３】
なお画素１９０を、複数の領域、例えば第１の画素領域、第２の画素領域、及び第３の画
素領域に分割すると、駆動回路である走査線駆動回路１８８及び信号線駆動回路１８９は
、第１の画素領域乃至第３の画素領域の各画素への映像信号の書き込みを同時に行うもの
である。
【００２４】
なお、ＡとＢとが接続されている、と明示的に記載する場合は、ＡとＢとが電気的に接続
されている場合と、ＡとＢとが機能的に接続されている場合と、ＡとＢとが直接接続され
ている場合とを含むものとする。ここで、ＡとＢとが電気的に接続されているとは、Ａと
Ｂとの間に何らかの電気的作用を有する対象物が存在するとき、対象物を含むＡとＢとの
間の部分がノードとなる場合を表すものとする。
【００２５】
具体的には、トランジスタをはじめとするスイッチング素子を介してＡとＢとが接続され
、該スイッチング素子の導通によって、ＡとＢとが概略同電位となる場合や、抵抗素子を
介してＡとＢとが接続され、該抵抗素子の両端に発生する電位差が、ＡとＢとを含む回路
の動作に影響しない程度となっている場合など、回路動作を考えた場合、ＡとＢとの間の
部分を同じノードとして捉えて差し支えない状態である場合を表す。
【００２６】
バックライト部１８２は、カラー表示を行うための複数色（例えば、赤（Ｒ）、緑（Ｇ）
、及び青（Ｂ））の光源１９１、光源１９１の点灯を制御するためのバックライト制御回
路１９２を有する。赤（Ｒ）、緑（Ｇ）、及び青（Ｂ）の光源は、バックライト制御回路
１９２により個別に輝度が制御される。バックライト制御回路１９２は、バックライト制
御回路１９２が制御する赤（Ｒ）、緑（Ｇ）、及び青（Ｂ）の光源の点灯順序について、
順序決定回路１８５により制御される。なお図１に示すバックライト部１８２は、表示パ
ネル１８１と並べて示しているが、実際には表示パネル１８１と重畳して設けられる。
【００２７】
なお光源１９１は、例えば、前述の第１の画素領域に対応し第１の画素領域への映像信号
の書き込みの後に点灯される第１の光源領域、前述の第２の画素領域に対応し第２の画素
領域への映像信号の書き込みの後に点灯される第２の光源領域、及び前述の第３の画素領
域に対応し第３の画素領域への映像信号の書き込みの後に点灯される第３の光源領域に分
割される。第１の光源領域乃至第３の光源領域では、カラー表示をするための複数色、こ
こでは赤（Ｒ）、緑（Ｇ）、及び青（Ｂ）の光源を有する。バックライト部１８２は、第
１の光源領域乃至第３の光源領域における赤（Ｒ）、緑（Ｇ）、及び青（Ｂ）の光源がそ
れぞれ異なる色の点灯となるよう制御する。
【００２８】
なおカラー表示を行うための複数色の光源１９１は、赤（Ｒ）、緑（Ｇ）、及び青（Ｂ）
の組み合わせ（ＲＧＢ）とは異なる他の組み合わせでもよい。光源１９１は、カラー表示
を行うための複数色の光源を用いればよく、ＲＧＢの組み合わせに他の色を追加する構成
、またはＲＧＢとは別の色による組み合わせ等を用いることも可能である。
【００２９】
映像信号選択回路１８３は、バックライト部１８２の光源１９１を構成する複数色毎に映
像信号（図１中、ｄａｔａ）を記憶するための複数の記憶回路１９３（画像メモリ）を有
する。先に述べたカラー表示を行うための複数色が赤（Ｒ）、緑（Ｇ）、及び青（Ｂ）（
ＲＧＢ）であれば、赤を表示するための映像信号を記憶する記憶回路、緑を表示するため
の映像信号を記憶する記憶回路、青を表示するための映像信号を記憶する記憶回路、を有
することとなる。
【００３０】
なお映像信号は、映像信号選択回路１８３が有する複数の記憶回路１９３に記憶するため
に、デジタル値の映像信号であることが望ましい。アナログ値の映像信号の場合には、Ａ
／Ｄ変換回路によりアナログ値からデジタル値への変換を行う構成とすればよい。映像信
号選択回路１８３の複数の記憶回路１９３のいずれかに記憶される、光源１９１の複数色
の色に対応する映像信号は、順序決定回路１８５により、複数色のいずれか一の色に対応
する映像信号が選択され、信号線駆動回路１８９に出力される。なお記憶回路１９３は、
例えばＤＲＡＭ（Ｄｙｎａｍｉｃ  Ｒａｎｄｏｍ  Ａｃｃｅｓｓ  Ｍｅｍｏｒｙ）、ＳＲ
ＡＭ（Ｓｔａｔｉｃ  Ｒａｎｄｏｍ  Ａｃｃｅｓｓ  Ｍｅｍｏｒｙ）等の記憶素子を用い
て構成すればよい。
【００３１】
コントロール回路１８４は、表示パネル１８１の走査線駆動回路１８８及び信号線駆動回
路１８９を動作させるための制御信号（クロック信号及びスタートパルス信号）の供給、
及び順序決定回路１８５による記憶回路１９３に記憶された映像信号の選択の順序の制御
を、前述の制御信号に同期して開始するための信号を供給するための回路である。
【００３２】
順序決定回路１８５は、１フレーム期間毎に乱数発生回路１８６からの信号（乱数信号と
もいう）に基づいて、映像信号選択回路１８３の複数の記憶回路１９３のいずれかに記憶
される、光源１９１の複数色の色に対応する映像信号を選択し、信号線駆動回路１８９に
出力するよう制御する回路である。またバックライト制御回路１９２は、映像信号選択回
路１８３で選択する映像信号に応じて、バックライト制御回路１９２が制御する赤（Ｒ）
、緑（Ｇ）、及び青（Ｂ）の光源の点灯順序について制御する回路である。
【００３３】
乱数発生回路１８６は、乱数を生成し、当該乱数に応じた乱数信号を順序決定回路１８５
に出力するための回路である。乱数は、例えば、適当な初期値を基に、混同合同法、若し
くは平均採中法等を用いて得られる擬似乱数を用いればよい。
【００３４】
なお乱数発生回路１８６は、実際には、乱数信号を発生する上でマイクロコンピュータ（
マイコンともいう）による計算を行うこととなる。そのため本実施の形態の構成では、乱
数発生回路１８６をマイコンと呼ぶこともある。
【００３５】
乱数信号は、得られた乱数に応じて場合分けを行い、順序決定回路１８５での順序の設定
に用いられる。本実施の形態の光源の色数は特に限定されるものではないが、例えば赤（
Ｒ）、緑（Ｇ）、及び青（Ｂ）の３色の色数による光源の点灯順序であれば、乱数生成に
よって得られる乱数の下二桁を用いて判定すればよい。
【００３６】
具体的には乱数信号は、乱数の下二桁が「００〜１６」であればＲＧＢの点灯順序とする
よう、順序決定回路１８５での順序を設定する信号となる。また乱数の下二桁が「１７〜
３３」であればＲＢＧの点灯順序とするよう、順序決定回路１８５での順序を設定する信
号となる。また乱数の下二桁が「３４〜５０」であればＧＲＢの点灯順序とするよう、順
序決定回路１８５での順序を設定する信号となる。また乱数の下二桁が「５１〜６６」で
あればＧＢＲの点灯順序とするよう、順序決定回路１８５での順序を設定する信号となる
。また乱数の下二桁が「６７〜８３」であればＢＲＧの点灯順序とするよう、順序決定回
路１８５での順序を設定する信号となる。また乱数の下二桁が「８４〜９９」であればＢ
ＧＲの点灯順序とするよう、順序決定回路１８５での順序を設定する信号となる。
【００３７】
なお乱数信号は、カオス理論に基づいた乱数、例えば非線形微分方程式の解を用いたカオ
ス乱数を用いてもよい。なお乱数発生回路１８６でカオス乱数を生成する場合は、図１８
に示すように、図１に示す構成での乱数発生回路１８６にカオス乱数生成部１９４を設け
、そこで演算する構成とすればよい。
【００３８】
ここで、カオスとは何かを説明することにする。自然界や人工の世界では、予測可能な現
象が多く見られる。ハレー彗星や人工衛星の位置を予測し、対応することもできる。原因
と結果の関係が明瞭である決定論的予測可能性こそ、科学の偉大なる力の一つである様に
思われる。
【００３９】
しかし、天気予報は、物理の法則に従う大気の運動の様に考えられるがしばしばはずれる
。このような原因と結果が不明瞭にみえる現象は、乱雑な要素をもつといわれ、基本的に
は、系を記述する完全なパラメータが明らかであれば、言い換えれば、系についての情報
を十分収集可能であれば、正確な予測が可能であると信じられていた。
【００４０】
すなわち、乱雑性は、多自由度系に対する情報不足のために生ずると考えられていたので
ある。しかしながら、少数の自由度（３次元以上）しか持たない簡単な系ですら、乱雑な
挙動を示す事があるという発見により、決定論的でありながら乱雑さが本質であるものが
存在することが見出された。このような乱雑さをカオスと呼ぶ様になっている。
【００４１】
しかし、カオスの概念は、未だ統一されているわけではない。進化論と同様にその定義は
、広域にわたり、対象によってその概念は一人歩きしている感さえある。そのため、本明
細書においては、あえて次のようにまとめる。
【００４２】
カオスとは、決定論的な規則をもつ系であるにもかかわらず、非常に複雑な振舞が非線型
として表れる結果、本質的にランダムになる現象を意味する。そして、一見、規則性、予
測性のない乱雑な無秩序に見える現象の背後にも複雑な秩序や法則性が存在することを示
している。
【００４３】
このような、カオスの考え方を数学的に応用し、特定の非線形方程式を解くことによって
、非常に良質の乱数を発生させることができる。この乱数発生の例として、区間から区間
への写像ｒで記される１次元非線形差分方程式の次式は、カオスと呼ばれる不規則で乱雑
な解を有する場合がある。
【００４４】
【数１】
2016053729.tif 000003
【００４５】
このような非線形写像で単純な例としては、ベルヌイシフト、ロジスティック写像、テン
ト写像、チェビチェフ写像等がある。
【００４６】
例えば、ベルヌイシフトとは、次式で表される。
【００４７】
【数２】
2016053729.tif 000004
【００４８】
また、ロジスティック写像とは、次式で表される。
【００４９】
【数３】
2016053729.tif 000005
【００５０】
特にロジスティック写像の前述の式において、ｂ＝４．０の場合は、”ｐｕｒｅ  ｃｈａ
ｏｓ”と称されている。
【００５１】
また、テント写像とは、次式で表される。
【００５２】
【数４】
2016053729.tif 000006
【００５３】
チェビチェフ写像とは、次式で表される。
【００５４】
【数５】
2016053729.tif 000007
【００５５】
ベルヌイシフト、ロジスティック写像、テント写像、チェビチェフ写像等の各々の方程式
の解のそれぞれがカオス乱数であり、通常ではこの乱数の規則性は判明しない。これらの
写像以外でもカオス乱数を発生させることは可能である。
【００５６】
例えば、ロジスティック写像において、方程式中の変数ｂを変更してゆくと、得られる解
は変化し、ｂが４に近づくほど、０．０から１．０の範囲内での解を持ち、よりカオス的
な乱数に近くなってゆく。逆に、この変数ｂが４から遠ざかるよう変更すると、得られる
解に制限をつけることができ、例えば、ｂが２の時は得られる解は１つに収束し、ｂが３
．５付近の時は解が４つに収束する。さらにこのｂが４に近づいてゆくに従い、この制限
はすくなくなり、解は一定の範囲内で、カオス的な乱数をとるようになる。
【００５７】
この様子を図１９に示す。図１９はロジスティック写像の式において、初期値Ｘｏを０．
３とし、変数ｂを０から４まで変更した時にｎ＝５００まで演算した時のｎ＝３００から
５００の際に得られる解の値を示している。図における黒い点の位置に対応する縦軸の値
が解の値である。前述のように、ｂが３付近より小さいときには解はいずれか１つに収束
し、ｂが３．１〜３．４付近では２つに収束している。さらに、ｂが大きくなると解は４
つ、８つというように、収束してゆく場所が増え、段々とカオス的な乱数をとるようにな
る。
【００５８】
ただし、例えばｂが４に設定されている時に、計算を繰り返す途中、演算処理を行なう際
の有効数字の取り方次第で、ある繰り返し回数以降に解が０．５となってしまう時がある
。それ以降の解はすべて０．５となるため、演算処理を行なう際の有効数字の取り方およ
び、解を利用する繰り返し回数の範囲等に注意を行なわなければ、カオス的な乱数ではな
くなる場合がある。
【００５９】
このような発生方法で生成されたカオス乱数を利用し、当該カオス乱数に応じて場合分け
を行い、順序決定回路１８５での順序の設定に用いられる乱数信号を生成すればよい。本
実施の形態の光源の色数は特に限定されるものではないが、例えば赤（Ｒ）、緑（Ｇ）、
及び青（Ｂ）の光源の点灯順序であれば、カオス乱数の生成によって得られるカオス乱数
の下二桁を用いて判定すればよい。
【００６０】
次いで図１４は、液晶表示装置の外観を示す模式図である。図１４の液晶表示装置はバッ
クライト部１０１と、複数の画素がマトリクス状に設けられた表示パネル１０２と、表示
パネル１０２を挟む偏光板１０３、及び偏光板１０４を有する。バックライト部１０１に
は赤、緑、及び青の３色の光源１０５Ｒ、１０５Ｇ、及び１０５Ｂ、具体的にはＲＧＢの
３色による発光ダイオード（ＬＥＤ）のを一組とする光源をマトリクス状に配置している
。また、表示パネル１０２とバックライト部１０１の間には、バックライト部１０１から
の光の放射を一様にするため、拡散板１０６を配置している。
【００６１】
なお、図１４で示す表示パネル１０２は図１で説明した表示パネル１８１に相当し、図１
４で示すバックライト部１０１は図１で説明したバックライト部１８２に相当する。また
、図１で説明した映像信号選択回路１８３、コントロール回路１８４、順序決定回路１８
５、乱数発生回路１８６は、図１４で説明した外部基板１６２上に形成することが可能で
ある。
【００６２】
なお、偏光板１０３及び偏光板１０４は、表示パネル１０２が有する液晶材料に応じて、
なくす構成とすることも可能である。また、拡散板１０６についても複数設ける構成、ま
たは他の箇所に設ける構成とすることも可能である。
【００６３】
バックライト部１０１の３色の光源は、外部より供給される映像信号に応じて、各光源の
点灯及び点灯する光源の色が切り替えられる。フィールドシーケンシャル方式の液晶表示
装置では、光源１０５Ｒ、１０５Ｇ、及び１０５Ｂの発光を時間的に切り替え、且つ画素
毎にそれぞれの色を呈する光の透過を制御することで、視認者がカラー表示の画像を認識
することができる。なお光源の点灯とは、表示する映像信号に応じて各光源の輝度の大き
さを切り替える構成を含むものである。
【００６４】
なお本実施の形態ではバックライトの光源を発光ダイオードとして説明するが、所望の色
の光の放射が得られる光源であれば他の種類の光源であってもよい。また、光源として設
けられる発光ダイオードは、複数の画素の領域に対応して、当該画素の背面にマトリクス
状に配設される構成となる。
【００６５】
図１４に示す表示パネル１０２は、画素部１０７、走査線駆動回路１０８（ゲート線駆動
回路ともいう）、信号線駆動回路１０９（データ線駆動回路ともいう）を有する。なお、
走査線駆動回路１０８、及び／または信号線駆動回路１０９は、表示パネル１０２の外に
設けられる構成でもよい。表示パネル１０２の画素部１０７には、複数の画素が設けられ
る。
【００６６】
またバックライト部１０１及び表示パネル１０２は、表示切替回路及び表示制御回路等が
設けられた外部基板１６２と、外部入力端子となるＦＰＣ１６１（フレキシブルプリント
サーキット）により、電気的に接続されている。
【００６７】
次いで図１の構成による液晶表示装置の駆動について説明するため、図２乃至図６では、
表示パネル１８１、及びバックライト部１８２の構成例、及び動作について詳細に説明す
る。以下では、表示パネルの説明として、表示パネルの構成例、走査線駆動回路の構成例
、走査線駆動回路の動作例、信号線駆動回路の構成例、バックライト部の構成例、表示パ
ネルの動作例、について説明することとする。
【００６８】
まず表示パネルの構成例について説明する。図２（Ａ）は、表示パネルの構成例を示す図
である。図２（Ａ）に示す表示パネルは、画素部１０と、走査線駆動回路１１と、信号線
駆動回路１２と、各々が平行又は略平行に配設され、且つ走査線駆動回路１１によって電
位が制御される、３ｎ本（ｎは、２以上の自然数）の走査線１３１、３ｎ本の走査線１３
２、及び３ｎ本の走査線１３３と、各々が平行又は略平行に配設され、且つ信号線駆動回
路１２によって電位が制御される、ｍ本（ｍは、２以上の自然数）の信号線１４１、ｍ本
の信号線１４２、及びｍ本の信号線１４３と、を有する。
【００６９】
さらに、画素部１０は、マトリクス状（３ｎ行ｍ列）に配設された複数の画素１５を有す
る。なお、各走査線１３１、１３２、１３３は、マトリクス状（３ｎ行ｍ列）に配設され
た複数の画素１５のうち、いずれかの行に配設されたｍ個の画素１５に接続される。また
、各信号線１４１、１４２、１４３は、マトリクス状（３ｎ行ｍ列）に配設された複数の
画素１５のうち、いずれかの列に配設された３ｎ個の画素１５に接続される。
【００７０】
なお、走査線駆動回路１１には、外部から走査線駆動回路用スタート信号（ＧＳＰ１〜Ｇ
ＳＰ３）、走査線駆動回路用クロック信号（ＧＣＫ）、及び高電源電位（ＶＤＤ）、低電
源電位（ＶＳＳ）などの駆動用電源電位が入力される。また、信号線駆動回路１２には、
外部から信号線駆動回路用スタート信号（ＳＳＰ）、信号線駆動回路用クロック信号（Ｓ
ＣＫ）、映像信号（ＤＡＴＡ１〜ＤＡＴＡ３）などの信号、及び高電源電位、低電源電位
などの駆動用電源電位が入力される。
【００７１】
図２（Ｂ）は、画素１５の回路構成例を示す図である。図２（Ｂ）に示す画素１５は、ゲ
ートが走査線１３１に接続され、ソース及びドレインの一方が信号線１４１に接続された
トランジスタ１５１と、ゲートが走査線１３２に接続され、ソース及びドレインの一方が
信号線１４２に接続されたトランジスタ１５２と、ゲートが走査線１３３に接続され、ソ
ース及びドレインの一方が信号線１４３に接続されたトランジスタ１５３と、一方の電極
がトランジスタ１５１〜１５３のソース及びドレインの他方に接続され、他方の電極が容
量電位を供給する配線に接続された容量素子１５４と、一方の電極（画素電極）がトラン
ジスタ１５１〜１５３のソース及びドレインの他方並びに容量素子１５４の一方の電極に
接続され、他方の電極（対向電極）が対向電位を供給する配線に接続された液晶素子１５
５と、を有する。
【００７２】
なお、トランジスタは、ゲートと、ドレインと、ソースとを含む少なくとも三つの端子を
有する素子であり、ドレイン領域とソース領域の間にチャネル形成領域を有しており、ド
レイン領域とチャネル領域とソース領域とを介して電流を流すことができる。ここで、ソ
ースとドレインとは、トランジスタの構造や動作条件等によって変わるため、いずれがソ
ースまたはドレインであるかを限定することが困難である。そこで、本書類（明細書、特
許請求の範囲又は図面など）においては、ソース及びドレインとして機能する領域を、ソ
ースもしくはドレインと呼ばない場合がある。その場合、一例としては、それぞれを第１
端子、第２端子と表記する場合がある。あるいは、それぞれを第１の電極、第２の電極と
表記する場合がある。あるいは、ソース領域、ドレイン領域と表記する場合がある。
【００７３】
次いで、走査線駆動回路１１の構成例について説明する。図３は、図２（Ａ）に示す表示
パネルが有する走査線駆動回路１１の構成例を示す図である。図３に示す走査線駆動回路
１１は、３ｎ個の出力端子を有する３つのシフトレジスタ１１１〜１１３を有する。なお
、シフトレジスタ１１１が有する出力端子のそれぞれは、画素部１０に配設された３ｎ本
の走査線１３１のいずれかに接続され、シフトレジスタ１１２が有する出力端子のそれぞ
れは、画素部１０に配設された３ｎ本の走査線１３２のいずれかに接続され、シフトレジ
スタ１１３が有する出力端子のそれぞれは、画素部１０に配設された３ｎ本の走査線１３
３のいずれかに接続される。すなわち、シフトレジスタ１１１は、走査線１３１を駆動す
るシフトレジスタであり、シフトレジスタ１１２は、走査線１３２を駆動するシフトレジ
スタであり、シフトレジスタ１１３は、走査線１３３を駆動するシフトレジスタである。
具体的には、シフトレジスタ１１１は、外部から入力される第１の走査線駆動回路用スタ
ートパルス信号（ＧＳＰ１）をきっかけとして、１行目に配設された走査線１３１を起点
として順次選択信号をシフト（走査線１３１を走査線駆動回路用クロック信号（ＧＣＫ）
１／２周期毎に順次選択）する機能を有し、シフトレジスタ１１２は、外部から入力され
る第２の走査線駆動回路用スタートパルス信号（ＧＳＰ２）をきっかけとして、１行目に
配設された走査線１３２を起点として順次選択信号をシフトする機能を有し、シフトレジ
スタ１１３は、外部から入力される第３の走査線駆動回路用スタートパルス信号（ＧＳＰ
３）をきっかけとして、１行目に配設された走査線１３３を起点として順次選択信号をシ
フトする機能を有する。
【００７４】
次いで走査線駆動回路１１の動作例について図４を参照して説明する。なお、図４には、
走査線駆動回路用クロック信号（ＧＣＫ）、シフトレジスタ１１１が有する３ｎ個の出力
端子から出力される信号（ＳＲ１１１ｏｕｔ）、シフトレジスタ１１２が有する３ｎ個の
出力端子から出力される信号（ＳＲ１１２ｏｕｔ）、及びシフトレジスタ１１３が有する
３ｎ個の出力端子から出力される信号（ＳＲ１１３ｏｕｔ）を示している。
【００７５】
サンプリング期間（ｔ１）において、シフトレジスタ１１１では、１行目に配設された走
査線１３１を起点としてｎ行目に配設された走査線１３１までハイレベルの電位が１／２
クロック周期（水平走査期間）毎に順次シフトし、シフトレジスタ１１２では、ｎ＋１行
目に配設された走査線１３２を起点として２ｎ行目に配設された走査線１３２までハイレ
ベルの電位が１／２クロック周期（水平走査期間）毎に順次シフトし、シフトレジスタ１
１３では、２ｎ＋１行目に配設された走査線１３３を起点として３ｎ行目に配設された走
査線１３３までハイレベルの電位が１／２クロック周期（水平走査期間）毎に順次シフト
する。そのため、走査線駆動回路１１は、走査線１３１を介して１行目に配設されたｍ個
の画素１５からｎ行目に配設されたｍ個の画素１５を順次選択するとともに、走査線１３
２を介してｎ＋１行目に配設されたｍ個の画素１５から２ｎ行目に配設されたｍ個の画素
１５を順次選択し、走査線１３３を介して２ｎ＋１行目に配設されたｍ個の画素１５から
３ｎ行目に配設されたｍ個の画素１５を順次選択することになる。すなわち、走査線駆動
回路１１は、水平走査期間毎に異なる３行に配設された３ｍ個の画素１５に対して選択信
号を供給することが可能である。
【００７６】
サンプリング期間（ｔ２）において、シフトレジスタ１１１〜１１３のそれぞれの出力信
号はサンプリング期間（ｔ１）と異なるが、シフトレジスタ１１１〜１１３のいずれか一
（サンプリング期間（ｔ２）においては、シフトレジスタ１１３）が１行目に配設された
ｍ個の画素１５からｎ行目に配設されたｍ個の画素１５を順次選択し、前述のシフトレジ
スタ１１１〜１１３のいずれか一と異なるシフトレジスタ１１１〜１１３のいずれか一（
サンプリング期間（ｔ２）においては、シフトレジスタ１１１）がｎ＋１行目に配設され
たｍ個の画素１５から２ｎ行目に配設されたｍ個の画素１５を順次選択し、シフトレジス
タ１１１〜１１３のうち前述の２つと異なる一（サンプリング期間（ｔ２）においては、
シフトレジスタ１１２）が２ｎ＋１行目に配設されたｍ個の画素１５から３ｎ行目に配設
されたｍ個の画素１５を順次選択する点は、同じである。すなわち、走査線駆動回路１１
は、サンプリング期間（ｔ１）と同様に、水平走査期間毎に特定の３行に配設された３ｍ
個の画素１５に対して選択信号を供給することが可能である。
【００７７】
次いで信号線駆動回路１２の構成例について説明する。図５（Ａ）は、図２（Ａ）に示す
表示パネルが有する信号線駆動回路１２の構成例を示す図である。図５（Ａ）に示す信号
線駆動回路１２は、ｍ個の出力端子を有するシフトレジスタ１２０と、ｍ個のトランジス
タ１２１と、ｍ個のトランジスタ１２２と、ｍ個のトランジスタ１２３と、を有する。な
お、トランジスタ１２１のゲートは、シフトレジスタ１２０が有するｊ番目（ｊは、１以
上ｍ以下の自然数）の出力端子に接続され、ソース及びドレインの一方が第１の映像信号
（ＤＡＴＡ１）を供給する配線に接続され、ソース及びドレインの他方が画素部１０にお
いてｊ列目に配設された信号線１４１に接続される。また、トランジスタ１２２のゲート
は、シフトレジスタ１２０が有するｊ番目（ｊは、１以上ｍ以下の自然数）の出力端子に
接続され、ソース及びドレインの一方が第２の映像信号（ＤＡＴＡ２）を供給する配線に
接続され、ソース及びドレインの他方が画素部１０においてｊ列目に配設された信号線１
４２に接続される。また、トランジスタ１２３のゲートは、シフトレジスタ１２０が有す
るｊ番目（ｊは、１以上ｍ以下の自然数）の出力端子に接続され、ソース及びドレインの
一方が第３の映像信号（ＤＡＴＡ３）を供給する配線に接続され、ソース及びドレインの
他方が画素部１０においてｊ列目に配設された信号線１４３に接続される。
【００７８】
なお、ここでは、第１の映像信号（ＤＡＴＡ１）は、赤（Ｒ）の映像信号（バックライト
が、赤（Ｒ）を点灯する際に画素１５において保持される映像信号）を信号線１４１に供
給し、第２の映像信号（ＤＡＴＡ２）は、青（Ｂ）の映像信号を信号線１４２に供給し、
第３の映像信号（ＤＡＴＡ３）は、緑（Ｇ）の映像信号を信号線１４３に供給することと
する。
【００７９】
次いでバックライト部の構成例について説明する。図５（Ｂ）は、図２（Ａ）に示す表示
パネルの画素部１０の背面に設けられるバックライト部の構成例を示す図である。図５（
Ｂ）に示すバックライトは、赤（Ｒ）、緑（Ｇ）、青（Ｂ）の３色を呈する光源１６を複
数有する。なお、複数の光源１６は、マトリクス状に配設されており、且つ特定の領域毎
に点灯を制御することが可能である。ここでは、３ｎ行ｍ列に配設された複数の画素１５
に対するバックライトとして、少なくともｋ行ｍ列毎（ここでは、ｋは、ｎ／４かつ２以
上の自然数とする）に光源１６が設けられ、該光源１６の点灯を独立に制御できることと
する。すなわち、当該バックライトが、少なくとも１行目乃至ｋ行目用の光源〜２ｎ＋３
ｋ＋１行目乃至３ｎ行目用の光源を有し、それぞれの光源の点灯を独立に制御できること
とする。
【００８０】
また、バックライトの光源として赤（Ｒ）、緑（Ｇ）、青（Ｂ）の３色を用いる構成につ
いて示したが、本実施の形態の表示パネルは、当該構成に限定されない。すなわち、本実
施の形態の表示パネルでは、任意の色を呈する光源を組み合わせて用いることが可能であ
る。例えば、赤（Ｒ）、緑（Ｇ）、青（Ｂ）、白（Ｗ）、若しくは赤（Ｒ）、緑（Ｇ）、
青（Ｂ）、黄（Ｙ）の４色を組み合わせて用いること、又はシアン（Ｃ）、マゼンタ（Ｍ
）、イエロー（Ｙ）の３色を組み合わせて用いることなどが可能である。さらに、淡色の
赤（Ｒ）、緑（Ｇ）、及び青（Ｂ）、並びに濃色の赤（Ｒ）、緑（Ｇ）、及び青（Ｂ）の
６色を組み合わせて用いること、又は赤（Ｒ）、緑（Ｇ）、青（Ｂ）、シアン（Ｃ）、マ
ゼンタ（Ｍ）、イエロー（Ｙ）の６色を組み合わせて用いることなども可能である。また
バックライトの光源として、赤（Ｒ）、緑（Ｇ）、青（Ｂ）に加え、白（Ｗ）の光源を追
加する構成としてもよいし、赤（Ｒ）、緑（Ｇ）、青（Ｂ）を同時に点灯することで白（
Ｗ）の光源とし、４色のバックライトの光源とする構成でもよい。なおバックライトの光
源として用いる白（Ｗ）の光源は、赤（Ｒ）とシアン（Ｃ）、緑（Ｇ）とマゼンタ（Ｍ）
、青（Ｂ）とイエロー（Ｙ）のいずれかの組み合わせで同時に点灯することで得られるも
のであってもよい。このように、より多種の色を呈する光を組み合わせることで、当該表
示パネルにおいて表現できる色域を拡大し、画質を向上させることが可能である。
【００８１】
また、上述した表示パネルにおいては、バックライトの光源として赤（Ｒ）、緑（Ｇ）、
青（Ｂ）の３色を呈する光源を横に直線的に並べる構成（図５（Ｂ）参照）について示し
たが、当該構成に限定されない。例えば、当該３色を呈する光源を３角配置しても良いし
、当該３色を呈する光源を縦に直線的に並べてもよい。また、上述した表示パネルにおい
ては、バックライトとして直下型方式のバックライトを適用する構成（図５（Ｂ）参照）
について示したが、当該バックライトとしてエッジライト方式のバックライトを適用する
ことも可能である。
【００８２】
次いで表示パネルの動作例について説明する。図６は、上述した表示パネルにおける選択
信号の走査と、バックライト部の光源の点灯タイミングとを示す図である。当該表示パネ
ルは、サンプリング期間（ｔ１）において、１行目に配設されたｍ個の画素１５からｎ行
目に配設されたｍ個の画素１５を順次選択し、且つｎ＋１行目に配設されたｍ個の画素１
５から２ｎ行目に配設されたｍ個の画素１５を順次選択し、且つ２ｎ＋１行目に配設され
たｍ個の画素１５から３ｎ行目に配設されたｍ個の画素１５を順次選択することで、各画
素に映像信号を入力することが可能である。なお、１行目に配設されたｍ個の画素１５か
らｎ行目に配設されたｍ個の画素１５が設けられる領域を、第１の画素領域ともいう。ま
たｎ＋１行目に配設されたｍ個の画素１５から２ｎ行目に配設されたｍ個の画素１５が設
けられる領域を、第２の画素領域ともいう。また２ｎ＋１行目に配設されたｍ個の画素１
５から３ｎ行目に配設されたｍ個の画素１５が設けられる領域を、第３の画素領域ともい
う。
【００８３】
また図６について具体的に述べると、当該表示パネルは、サンプリング期間（ｔ１）にお
いて、走査線１３１を介して１行目に配設されたｍ個の画素１５が有するトランジスタ１
５１からｎ行目に配設されたｍ個の画素１５が有するトランジスタ１５１を順次オン状態
とすることで、信号線１４１を介して赤（Ｒ）の映像信号を各画素に順次入力することが
可能であり、走査線１３２を介してｎ＋１行目に配設されたｍ個の画素１５が有するトラ
ンジスタ１５２から２ｎ行目に配設されたｍ個の画素１５が有するトランジスタ１５２を
順次オン状態とすることで、信号線１４２を介して青（Ｂ）の映像信号を各画素に順次入
力することが可能であり、走査線１３３を介して２ｎ＋１行目に配設されたｍ個の画素１
５が有するトランジスタ１５３から３ｎ行目に配設されたｍ個の画素１５が有するトラン
ジスタ１５３を順次オン状態とすることで、信号線１４３を介して緑（Ｇ）の映像信号を
各画素に順次入力することが可能である。
【００８４】
さらに、当該表示パネルでは、サンプリング期間（ｔ１）内において、１行目に配設され
たｍ個の画素１５からｋ行目に配設されたｍ個の画素１５に対して赤（Ｒ）の映像信号の
入力が終了した後に１行目乃至ｋ行目用の光源において赤（Ｒ）を点灯させ、且つｎ＋１
行目に配設されたｍ個の画素１５からｎ＋ｋ行目に配設されたｍ個の画素１５に対して青
（Ｂ）の映像信号の入力が終了した後にｎ＋１行目乃至ｎ＋ｋ行目用の光源において青（
Ｂ）を点灯させ、且つ２ｎ＋１行目に配設されたｍ個の画素１５から２ｎ＋ｋ行目に配設
されたｍ個の画素１５に対して緑（Ｇ）の映像信号の入力が終了した後に２ｎ＋１行目乃
至２ｎ＋ｋ行目用の光源において緑（Ｇ）を点灯させることが可能である。すなわち、当
該表示パネルでは、領域（１行目乃至ｎ行目、ｎ＋１行目乃至２ｎ行目、及び２ｎ＋１行
目乃至３ｎ行目）毎に、選択信号の走査と、特定色を呈する光源（赤（Ｒ）、緑（Ｇ）、
又は青（Ｂ））の点灯とを並行して行うことが可能である。
【００８５】
なお、１行目乃至ｋ行目用の光源を第１の光源領域ともいう。ｎ＋１行目乃至ｎ＋ｋ行目
用の光源を第２の光源領域ともいう。２ｎ＋１行目乃至２ｎ＋ｋ行目用の光源を第３の光
源領域ともいう。
【００８６】
以上説明した表示パネルは、マトリクス状に配設された画素のうち、複数行に配設された
画素に対して同時に映像信号を供給することが可能である。これにより、当該表示パネル
が有するトランジスタなどの応答速度を変化させることなく、各画素に対する映像信号の
入力頻度を向上させることが可能になる。具体的に述べると、上述した表示パネルでは、
走査線駆動回路のクロック周波数などを変化させることなく、各画素に対する映像信号の
入力頻度を３倍にすることが可能である。すなわち、当該表示パネルは、フィールドシー
ケンシャル方式によって表示を行う表示パネル、又は倍速駆動を行う表示パネルとして好
適である。
【００８７】
次いで以上説明した表示パネルの構成に加え、図１で説明した映像信号選択回路１８３、
コントロール回路１８４、順序決定回路１８５、乱数発生回路１８６による本実施の形態
の構成の効果について具体的な例を示して説明する。
【００８８】
図７（Ａ）では、図６で示したタイミングチャートにおける、１行目乃至ｋ行目の画素に
対して赤（Ｒ）の映像信号の入力が終了した後に１行目乃至ｋ行目用の光源において赤（
Ｒ）を点灯させ、且つｎ＋１行目乃至ｎ＋ｋ行目の画素に対して青（Ｂ）の映像信号の入
力が終了した後にｎ＋１行目乃至ｎ＋ｋ行目用の光源において青（Ｂ）を点灯させ、且つ
２ｎ＋１行目乃至２ｎ＋ｋ行目の画素に対して緑（Ｇ）の映像信号の入力が終了した後に
２ｎ＋１行目乃至２ｎ＋ｋ行目用の光源において緑（Ｇ）を点灯させる動作を抜粋して示
している。
【００８９】
なお図７（Ａ）の１行目乃至ｋ行目の画素では、赤（Ｒ）の映像信号の入力及び赤（Ｒ）
を点灯、緑（Ｇ）の映像信号の入力及び緑（Ｇ）を点灯、並びに青（Ｂ）の映像信号の入
力及び青（Ｂ）を点灯、の期間によりカラー表示が得られることより、当該期間を１フレ
ーム期間として示している。同様に図７（Ａ）のｎ＋１行目乃至ｎ＋ｋ行目の画素では、
青（Ｂ）の映像信号の入力及び青（Ｂ）を点灯、赤（Ｒ）の映像信号の入力及び赤（Ｒ）
を点灯、並びに緑（Ｇ）の映像信号の入力及び緑（Ｇ）を点灯、の期間を１フレーム期間
として示している。同様に図７（Ａ）の２ｎ＋１行目乃至２ｎ＋ｋ行目の画素では、緑（
Ｇ）の映像信号の入力及び緑（Ｇ）を点灯、青（Ｂ）の映像信号の入力及び青（Ｂ）を点
灯、並びに赤（Ｒ）の映像信号の入力及び赤（Ｒ）を点灯、の期間を１フレーム期間とし
て示している。
【００９０】
次いで図７（Ｂ）では、図７（Ａ）における映像信号の入力を省略し、光源の点灯のみに
ついて示した図である。図７（Ａ）と同様に、一点鎖線７００で示す期間が１フレーム期
間に相当する期間となる。
【００９１】
図１で説明した順序決定回路１８５は、図７（Ａ）、（Ｂ）における１フレーム期間で、
乱数発生回路１８６からの信号（乱数信号ともいう）に応じて、ＲＧＢのいずれかの色に
対応する映像信号の入力順序、及び当該映像信号に応じたバックライトの点灯順序を決定
する。
【００９２】
例えばある期間での乱数発生回路１８６からの乱数信号に応じた映像信号の入力順序、及
び当該映像信号に応じたバックライトの点灯順序について、図７（Ｂ）と同様に映像信号
の入力を省略して表す。そうすると、ある期間では図７（Ｃ）に示すように、１行目乃至
ｋ行目の画素では赤（Ｒ）を点灯、次いで緑（Ｇ）を点灯、次いで青（Ｂ）を点灯の順に
行い、ｎ＋１行目乃至ｎ＋ｋ行目の画素では青（Ｂ）を点灯、次いで赤（Ｒ）を点灯、次
いで緑（Ｇ）を点灯の順に行い、２ｎ＋１行目乃至２ｎ＋ｋ行目の画素では緑（Ｇ）を点
灯、次いで青（Ｂ）を点灯、次いで赤（Ｒ）を点灯の順に行い、図７（Ｂ）と同様に、一
点鎖線７０１で示す期間を１フレーム期間として示している。
【００９３】
また、図７（Ｃ）とは別の期間での乱数発生回路１８６からの乱数信号に応じた映像信号
の入力順序、及び当該映像信号に応じたバックライトの点灯順序について、図７（Ｂ）と
同様に映像信号の入力を省略して表す。そうすると、ある期間では図７（Ｄ）に示すよう
に、１行目乃至ｋ行目の画素では緑（Ｇ）を点灯、次いで青（Ｂ）を点灯、次いで赤（Ｒ
）を点灯の順に行い、ｎ＋１行目乃至ｎ＋ｋ行目の画素では赤（Ｒ）を点灯、次いで緑（
Ｇ）を点灯、次いで青（Ｂ）を点灯の順に行い、２ｎ＋１行目乃至２ｎ＋ｋ行目の画素で
は青（Ｂ）を点灯、次いで赤（Ｒ）を点灯、次いで緑（Ｇ）を点灯の順に行い、図７（Ｂ
）と同様に、一点鎖線７０２で示す期間を１フレーム期間として示している。
【００９４】
また、図７（Ｃ）、及び図７（Ｄ）とは別の期間での乱数発生回路１８６からの乱数信号
に応じた映像信号の入力順序、及び当該映像信号に応じたバックライトの点灯順序につい
て、図７（Ｂ）と同様に映像信号の入力を省略して表す。そうすると、ある期間では図７
（Ｅ）に示すように、１行目乃至ｋ行目の画素では青（Ｂ）を点灯、次いで赤（Ｒ）を点
灯、次いで緑（Ｇ）を点灯の順に行い、ｎ＋１行目乃至ｎ＋ｋ行目の画素では緑（Ｇ）を
点灯、次いで青（Ｂ）を点灯、次いで赤（Ｒ）を点灯の順に行い、２ｎ＋１行目乃至２ｎ
＋ｋ行目の画素では赤（Ｒ）を点灯、次いで緑（Ｇ）を点灯、次いで青（Ｂ）を点灯の順
に行い、図７（Ｂ）と同様に、一点鎖線７０３で示す期間を１フレーム期間として示して
いる。
【００９５】
なお図７（Ｃ）乃至図７（Ｅ）に示した映像信号の入力順序、及び当該映像信号に応じた
バックライトの点灯順序の他に、乱数発生回路１８６からの乱数信号によって取りうる１
フレーム期間における光源の点灯順序およびそれに伴う映像信号の入力順序は、１行目乃
至ｋ行目の画素では赤（Ｒ）を点灯、次いで青（Ｂ）を点灯、次いで緑（Ｇ）を点灯の順
に行い、ｎ＋１行目乃至ｎ＋ｋ行目の画素では緑（Ｇ）を点灯、次いで赤（Ｒ）を点灯、
次いで青（Ｂ）を点灯の順に行い、２ｎ＋１行目乃至２ｎ＋ｋ行目の画素では青（Ｂ）を
点灯、次いで緑（Ｇ）を点灯、次いで赤（Ｒ）を点灯の順となる。また他にも、１行目乃
至ｋ行目の画素では緑（Ｇ）を点灯、次いで赤（Ｒ）を点灯、次いで青（Ｂ）を点灯の順
に行い、ｎ＋１行目乃至ｎ＋ｋ行目の画素では青（Ｂ）を点灯、次いで緑（Ｇ）を点灯、
次いで赤（Ｒ）を点灯の順に行い、２ｎ＋１行目乃至２ｎ＋ｋ行目の画素では赤（Ｒ）を
点灯、次いで青（Ｂ）を点灯、次いで緑（Ｇ）を点灯の順に行う、１フレーム期間もある
。また他にも、１行目乃至ｋ行目の画素では青（Ｂ）を点灯、次いで緑（Ｇ）を点灯、次
いで赤（Ｒ）を点灯の順に行い、ｎ＋１行目乃至ｎ＋ｋ行目の画素では赤（Ｒ）を点灯、
次いで青（Ｂ）を点灯、次いで緑（Ｇ）を点灯の順に行い、２ｎ＋１行目乃至２ｎ＋ｋ行
目の画素では緑（Ｇ）を点灯、次いで赤（Ｒ）を点灯、次いで青（Ｂ）を点灯の順に行う
、１フレーム期間もある。
【００９６】
乱数発生回路１８６からの乱数信号に応じた映像信号の入力順序、及び当該映像信号に応
じたバックライトの点灯順序は、図７（Ｃ）乃至図７（Ｅ）で示した１フレーム期間にお
ける光源の点灯順序およびそれに伴う映像信号の入力順序が一定の順序で決定されるので
なく、ランダムに決定される。例えば、ある期間では、図８（Ａ）に示すように、一点鎖
線７０１で示す点灯順序を有するフレーム期間、次いで一点鎖線７０３で示す点灯順序を
有するフレーム、次いで一点鎖線７０２で示す点灯順序を有するフレーム期間となる。ま
たある期間では、図８（Ｂ）に示すように、一点鎖線７０２で示す点灯順序を有するフレ
ーム期間、次いで一点鎖線７０２で示す点灯順序を有するフレーム期間、次いで一点鎖線
７０１で示す点灯順序を有するフレーム期間となる。ある期間では、図８（Ｃ）に示すよ
うに、一点鎖線７０２で示す点灯順序を有するフレーム期間、次いで一点鎖線７０１で示
す点灯順序を有するフレーム期間、次いで一点鎖線７０２で示す点灯順序を有するフレー
ム期間となる。
【００９７】
従って本実施の形態の構成では、乱数発生回路１８６からの乱数信号に応じた映像信号の
入力順序、及び当該映像信号に応じたバックライトの点灯順序がランダムに決定されるこ
ととなり図８（Ａ）乃至図８（Ｃ）に示すように、１フレーム期間の中での映像信号の入
力順序、及びバックライトの点灯順序が不規則に決定されることとなる。そのため規則的
な映像信号の入力順序、及び当該映像信号に応じたバックライトの点灯順序によるフィー
ルドシーケンシャル方式のカラー表示に比べ色割れを視認しづらくすることができ、色割
れを低減することができる。
【００９８】
またフィールドシーケンシャル方式によって表示を行う本実施の形態の構成は、画素への
映像信号の入力を複数行で同時に行うことができ、各画素に対する映像信号の入力頻度を
向上させることが可能である。そのため実効的なフレーム周波数を高めることができ、フ
ィールドシーケンシャル方式による色割れの低減を行うことが可能である。
【００９９】
また本実施の形態の構成によれば、１フレーム期間における各サンプリング期間において
、ＲＧＢの３色の光源のバックライトの点灯を同時に行うことができる。そのため視認者
のまばたきなどによりカラー表示をするための複数色の光源のうち、いずれかの色の情報
のみが欠落することがない。一方、全画面共通でバックライトを点灯する場合、カラー表
示をするための複数色の光源のうち、いずれかの色のみの欠落が視認者のまばたきなどに
より起こりえることとなる。従って本実施の形態の構成は、複数色の光源であるＲＧＢの
いずれか一の点灯の視認が欠損することによって生じる色割れを視認しづらくすることが
でき、色割れを低減することができる。
【０１００】
例えば、上述した表示パネルにおいては、画素部１０の特定の３行に配設された３ｍ個の
画素に対して同時に映像信号を供給する構成について示したが、本実施の形態の表示パネ
ルは、当該構成に限定されない。すなわち、本実施の形態の表示パネルでは、画素部１０
の特定の複数行に配設された複数の画素に対して同時に映像信号を供給する構成とするこ
とが可能である。なお、自明ではあるが、当該行数を変化させる場合、当該行数と同数の
シフトレジスタなどを設ける必要があることを付記する。
【０１０１】
また、上述した表示パネルにおいては、等間隔に配設された特定の３行の画素に対して同
時に映像信号を供給する構成（映像信号が供給される行の間隔が、画素ｎ行分）について
示したが、本実施の形態の表示パネルは、当該構成に限定されない。すなわち、本実施の
形態の表示パネルは、非等間隔に配設された特定の３行に対して同時に映像信号を供給す
る構成とすることが可能である。具体的には、１行目に配設されたｍ個の画素、ａ＋１行
目（ａは、自然数）に配設されたｍ個の画素、及びａ＋ｂ＋１行目（ｂは、ａと異なる自
然数）に配設されたｍ個の画素に同時に映像信号を供給する構成とすることが可能である
。
【０１０２】
また、上述した表示パネルにおいては、走査線駆動回路がシフトレジスタを用いて構成さ
れる液晶表示装置について示したが、当該シフトレジスタを同等の機能を有する回路に置
換することが可能である。例えば、当該シフトレジスタをデコーダに置換することが可能
である。
【０１０３】
本実施の形態は、他の実施の形態に記載した構成と適宜組み合わせて実施することが可能
である。
【０１０４】
（実施の形態２）
本実施の形態では、上記実施の形態１の図６で述べた選択信号の走査と、バックライトの
光源の点灯タイミングとを示す図において、１フレーム期間となる期間の前後にバックラ
イトの光源を消灯する期間を設ける構成について説明する。なお上記実施の形態１と重複
する説明については、本実施の形態での説明を省略するものとする。
【０１０５】
図９に、１フレーム期間となる期間の前後にバックライトの光源を消灯する期間を設けた
、選択信号の走査と、バックライトの光源の点灯タイミングとのタイミングチャートを示
す。なおバックライトの光源を消灯する期間の長さは、特に限定されないが表示品位の低
下招かない長さであればよい。
【０１０６】
図９に示すタイミングチャートでは、図６と同様に、サンプリング期間（ｔ１）において
、１行目に配設されたｍ個の画素１５からｎ行目に配設されたｍ個の画素１５を順次選択
し、且つｎ＋１行目に配設されたｍ個の画素１５から２ｎ行目に配設されたｍ個の画素１
５を順次選択し、且つ２ｎ＋１行目に配設されたｍ個の画素１５から３ｎ行目に配設され
たｍ個の画素１５を順次選択することで、各画素に映像信号を入力する様子を示している
。図９では、前述のように上記実施の形態１の図６で述べたタイミングチャートの動作に
加えて１フレーム期間となる期間の前後に、選択信号の走査及びバックライトの光源の点
灯が行われない期間を設け、当該点灯を行わない期間を含めて１フレーム期間とする構成
を示している。
【０１０７】
なお、図９においては、選択信号の走査及びバックライトの光源の点灯の双方を行わない
構成について例示しているが、選択信号の走査を行い各画素に対して光を透過させないた
めの映像信号を入力する構成とすることも可能である。
【０１０８】
図７（Ａ）及び図７（Ｂ）を用いて図７（Ｃ）乃至図７（Ｅ）に説明したように、図１０
（Ａ）乃至図１０（Ｃ）では、ある期間での乱数発生回路１８６からの乱数信号に応じた
映像信号の入力順序、及び当該映像信号に応じたバックライトの点灯順序について、説明
する。
【０１０９】
上記実施の形態１の図１で説明した順序決定回路１８５は、図１０（Ａ）乃至図１０（Ｃ
）に示す期間で乱数発生回路１８６からの信号（乱数信号ともいう）に応じて、ＲＧＢの
いずれかの色に対応する映像信号の入力順序、及び当該映像信号に応じたバックライトの
点灯順序を決定する。
【０１１０】
例えばある期間での乱数発生回路１８６からの乱数信号に応じた映像信号の入力順序、及
び当該映像信号に応じたバックライトの点灯順序について、図７（Ｂ）と同様に映像信号
の入力を省略して表す。そうすると、ある期間では図１０（Ａ）に示すように、１行目乃
至ｋ行目の画素では非点灯、次いで赤（Ｒ）を点灯、次いで緑（Ｇ）を点灯、次いで青（
Ｂ）を点灯、次いで非点灯の順に行い、ｎ＋１行目乃至ｎ＋ｋ行目の画素では非点灯、次
いで青（Ｂ）を点灯、次いで赤（Ｒ）を点灯、次いで緑（Ｇ）を点灯、次いで非点灯の順
に行い、２ｎ＋１行目乃至２ｎ＋ｋ行目の画素では非点灯、次いで緑（Ｇ）を点灯、次い
で青（Ｂ）を点灯、次いで赤（Ｒ）を点灯、次いで非点灯の順に行い、一点鎖線１００１
で示す期間を１フレーム期間として示している。
【０１１１】
また、図１０（Ａ）とは別の期間での乱数発生回路１８６からの乱数信号に応じた映像信
号の入力順序、及び当該映像信号に応じたバックライトの点灯順序について、図７（Ｂ）
と同様に映像信号の入力を省略して表す。そうすると、ある期間では図１０（Ｂ）に示す
ように、１行目乃至ｋ行目の画素では非点灯、次いで緑（Ｇ）を点灯、次いで青（Ｂ）を
点灯、次いで赤（Ｒ）を点灯、次いで非点灯の順に行い、ｎ＋１行目乃至ｎ＋ｋ行目の画
素では非点灯、次いで赤（Ｒ）を点灯、次いで緑（Ｇ）を点灯、次いで青（Ｂ）を点灯、
次いで非点灯の順に行い、２ｎ＋１行目乃至２ｎ＋ｋ行目の画素では非点灯、次いで青（
Ｂ）を点灯、次いで赤（Ｒ）を点灯、次いで緑（Ｇ）を点灯、次いで非点灯の順に行い、
一点鎖線１００２で示す期間を１フレーム期間として示している。
【０１１２】
また、図１０（Ａ）及び図１０（Ｂ）とは別の期間での乱数発生回路１８６からの乱数信
号に応じた映像信号の入力順序、及び当該映像信号に応じたバックライトの点灯順序につ
いて、図７（Ｂ）と同様に映像信号の入力を省略して表す。そうすると、ある期間では図
１０（Ｃ）に示すように、１行目乃至ｋ行目の画素では非点灯、次いで青（Ｂ）を点灯、
次いで赤（Ｒ）を点灯、次いで緑（Ｇ）を点灯、次いで非点灯の順に行い、ｎ＋１行目乃
至ｎ＋ｋ行目の画素では非点灯、次いで緑（Ｇ）を点灯、次いで青（Ｂ）を点灯、次いで
赤（Ｒ）を点灯、次いで非点灯の順に行い、２ｎ＋１行目乃至２ｎ＋ｋ行目の画素では非
点灯、次いで赤（Ｒ）を点灯、次いで緑（Ｇ）を点灯、次いで青（Ｂ）を点灯、次いで非
点灯の順に行い、一点鎖線１００３で示す期間を１フレーム期間として示している。
【０１１３】
なお図１０（Ａ）乃至図１０（Ｃ）に示した映像信号の入力順序、及び当該映像信号に応
じたバックライトの点灯順序の他に、乱数発生回路１８６からの乱数信号によって取りう
る１フレーム期間における光源の点灯順序およびそれに伴う映像信号の入力順序は、１行
目乃至ｋ行目の画素では非点灯、次いで赤（Ｒ）を点灯、次いで青（Ｂ）を点灯、次いで
緑（Ｇ）を点灯、次いで非点灯の順に行い、ｎ＋１行目乃至ｎ＋ｋ行目の画素では非点灯
、次いで緑（Ｇ）を点灯、次いで赤（Ｒ）を点灯、次いで青（Ｂ）を点灯、次いで非点灯
の順に行い、２ｎ＋１行目乃至２ｎ＋ｋ行目の画素では非点灯、次いで青（Ｂ）を点灯、
次いで緑（Ｇ）を点灯、次いで赤（Ｒ）を点灯、次いで非点灯の順となる。また他にも、
１行目乃至ｋ行目の画素では非点灯、次いで緑（Ｇ）を点灯、次いで赤（Ｒ）を点灯、次
いで青（Ｂ）を点灯、次いで非点灯の順に行い、ｎ＋１行目乃至ｎ＋ｋ行目の画素では非
点灯、次いで青（Ｂ）を点灯、次いで緑（Ｇ）を点灯、次いで赤（Ｒ）を点灯、次いで非
点灯の順に行い、２ｎ＋１行目乃至２ｎ＋ｋ行目の画素では非点灯、次いで赤（Ｒ）を点
灯、次いで青（Ｂ）を点灯、次いで緑（Ｇ）を点灯、次いで非点灯の順に行う、１フレー
ム期間もある。また他にも、１行目乃至ｋ行目の画素では非点灯、次いで青（Ｂ）を点灯
、次いで緑（Ｇ）を点灯、次いで赤（Ｒ）を点灯、次いで非点灯の順に行い、ｎ＋１行目
乃至ｎ＋ｋ行目の画素では非点灯、次いで赤（Ｒ）を点灯、次いで青（Ｂ）を点灯、次い
で緑（Ｇ）を点灯、次いで非点灯の順に行い、２ｎ＋１行目乃至２ｎ＋ｋ行目の画素では
非点灯、次いで緑（Ｇ）を点灯、次いで赤（Ｒ）を点灯、次いで青（Ｂ）を点灯、次いで
非点灯の順に行う、１フレーム期間もある。
【０１１４】
乱数発生回路１８６からの乱数信号に応じた映像信号の入力順序、及び当該映像信号に応
じたバックライトの点灯順序は、図１０（Ａ）乃至図１０（Ｃ）で示した１フレーム期間
における光源の点灯順序およびそれに伴う映像信号の入力順序が一定の順序で決定される
のでなく、ランダムに決定される。例えば、ある期間では、図１１（Ａ）に示すように、
一点鎖線１００１で示す点灯順序を有するフレーム、次いで一点鎖線１００３で示す点灯
順序を有するフレーム、次いで一点鎖線１００２で示す点灯順序を有するフレームとなる
。またある期間では、図１１（Ｂ）に示すように、一点鎖線１００２で示す点灯順序を有
するフレーム、次いで一点鎖線１００２で示す点灯順序を有するフレーム、次いで一点鎖
線１００１で示す点灯順序を有するフレームとなる。ある期間では、図１１（Ｃ）に示す
ように、一点鎖線１００２で示す点灯順序を有するフレーム、次いで一点鎖線１００１で
示す点灯順序を有するフレーム、次いで一点鎖線１００２で示す点灯順序を有するフレー
ムとなる。
【０１１５】
従って本実施の形態の構成では、乱数発生回路１８６からの乱数信号に応じた映像信号の
入力順序、及び当該映像信号に応じたバックライトの点灯順序がランダムに決定されるこ
ととなり図１１（Ａ）乃至図１１（Ｃ）に示すように、１フレーム期間の中での映像信号
の入力順序、及びバックライトの点灯順序が不規則に決定されることとなる。そのため規
則的な映像信号の入力順序、及び当該映像信号に応じたバックライトの点灯順序によるフ
ィールドシーケンシャル方式のカラー表示に比べ色割れを視認しづらくすることができ、
色割れを低減することができる。特に１フレーム期間の前後にバックライトの光源を非点
灯とする期間を設けた本実施の形態の構成では、バックライトの点灯する期間を短くする
ことで、色割れをさらに低減できるといった効果を得ることができる。
【０１１６】
本実施の形態は、他の実施の形態に記載した構成と適宜組み合わせて実施することが可能
である。
【０１１７】
（実施の形態３）
本実施の形態では、本明細書に開示する液晶表示装置に適用できるトランジスタの例を示
す。本明細書に開示する液晶表示装置に適用できるトランジスタの構造は特に限定されず
、例えばゲート電極が、ゲート絶縁層を介して、半導体層の上側に配置されるトップゲー
ト構造、又はゲート電極が、ゲート絶縁層を介して、半導体層の下側に配置されるボトム
ゲート構造のスタガ型及びプレーナ型などを用いることができる。また、トランジスタは
チャネル形成領域が一つ形成されるシングルゲート構造でも、二つ形成されるダブルゲー
ト構造もしくは三つ形成されるトリプルゲート構造であっても良い。また、チャネル領域
の上下にゲート絶縁層を介して配置された２つのゲート電極層を有する、デュアルゲート
型でもよい。なお、図１２（Ａ）乃至（Ｄ）にトランジスタの断面構造の一例を以下に示
す。
【０１１８】
図１２（Ａ）に示すトランジスタ４１０は、ボトムゲート構造のトランジスタの一つであ
り、逆スタガ型トランジスタともいう。
【０１１９】
トランジスタ４１０は、絶縁表面を有する基板４００上に、ゲート電極層４０１、ゲート
絶縁層４０２、半導体層４０３、ソース電極層４０５ａ、及びドレイン電極層４０５ｂを
含む。また、トランジスタ４１０を覆い、半導体層４０３に接する絶縁膜４０７が設けら
れている。絶縁膜４０７上にはさらに保護絶縁層４０９が形成されている。
【０１２０】
図１２（Ｂ）に示すトランジスタ４２０は、チャネル保護型（チャネルストップ型ともい
う）と呼ばれるボトムゲート構造の一つであり逆スタガ型トランジスタともいう。
【０１２１】
トランジスタ４２０は、絶縁表面を有する基板４００上に、ゲート電極層４０１、ゲート
絶縁層４０２、半導体層４０３、半導体層４０３のチャネル形成領域を覆うチャネル保護
層として機能する絶縁膜４２７、ソース電極層４０５ａ、及びドレイン電極層４０５ｂを
含む。また、トランジスタ４２０を覆い、保護絶縁層４０９が形成されている。
【０１２２】
図１２（Ｃ）に示すトランジスタ４３０はボトムゲート型のトランジスタであり、絶縁表
面を有する基板４００上に、ゲート電極層４０１、ゲート絶縁層４０２、ソース電極層４
０５ａ、ドレイン電極層４０５ｂ、及び半導体層４０３を含む。また、トランジスタ４３
０を覆い、半導体層４０３に接する絶縁膜４０７が設けられている。絶縁膜４０７上には
さらに保護絶縁層４０９が形成されている。
【０１２３】
トランジスタ４３０においては、ゲート絶縁層４０２は基板４００及びゲート電極層４０
１上に接して設けられ、ゲート絶縁層４０２上にソース電極層４０５ａ、ドレイン電極層
４０５ｂが接して設けられている。そして、ゲート絶縁層４０２、及びソース電極層４０
５ａ、ドレイン電極層４０５ｂ上に半導体層４０３が設けられている。
【０１２４】
図１２（Ｄ）に示すトランジスタ４４０は、トップゲート構造のトランジスタの一つであ
る。トランジスタ４４０は、絶縁表面を有する基板４００上に、絶縁層４３７、半導体層
４０３、ソース電極層４０５ａ、ドレイン電極層４０５ｂ、ゲート絶縁層４０２、及びゲ
ート電極層４０１を含み、ソース電極層４０５ａ、ドレイン電極層４０５ｂにそれぞれ配
線層４３６ａ、配線層４３６ｂが接して設けられ接続している。
【０１２５】
半導体層４０３に用いる半導体材料としては、アモルファスシリコン、微結晶シリコン、
ポリシリコン、酸化物半導体、有機半導体等を用いることができる。
【０１２６】
絶縁表面を有する基板４００に使用することができる基板に大きな制限はないが、バリウ
ムホウケイ酸ガラスやアルミノホウケイ酸ガラスなどのガラス基板を用いる。
【０１２７】
ボトムゲート構造のトランジスタ４１０、４２０、４３０において、下地膜となる絶縁膜
を基板とゲート電極層の間に設けてもよい。下地膜は、基板からの不純物元素の拡散を防
止する機能があり、窒化シリコン膜、酸化シリコン膜、窒化酸化シリコン膜、又は酸化窒
化シリコン膜から選ばれた一又は複数の膜による積層構造により形成することができる。
【０１２８】
ゲート電極層４０１の材料は、モリブデン、チタン、クロム、タンタル、タングステン、
アルミニウム、銅、ネオジム、スカンジウム等の金属材料またはこれらを主成分とする合
金材料を用いて、単層でまたは積層して形成することができる。
【０１２９】
ゲート絶縁層４０２は、プラズマＣＶＤ法又はスパッタリング法等を用いて、酸化シリコ
ン層、窒化シリコン層、酸化窒化シリコン層、窒化酸化シリコン層、酸化アルミニウム層
、窒化アルミニウム層、酸化窒化アルミニウム層、窒化酸化アルミニウム層、又は酸化ハ
フニウム層を単層で又は積層して形成することができる。例えば、第１のゲート絶縁層と
してプラズマＣＶＤ法により膜厚５０ｎｍ以上２００ｎｍ以下の窒化シリコン層（ＳｉＮ
ｙ（ｙ＞０））を形成し、第１のゲート絶縁層上に第２のゲート絶縁層として膜厚５ｎｍ
以上３００ｎｍ以下の酸化シリコン層（ＳｉＯｘ（ｘ＞０））を積層して、合計膜厚２０
０ｎｍのゲート絶縁層とする。
【０１３０】
ソース電極層４０５ａ、ドレイン電極層４０５ｂに用いる導電膜としては、例えば、Ａｌ
、Ｃｒ、Ｃｕ、Ｔａ、Ｔｉ、Ｍｏ、Ｗから選ばれた元素を含む金属膜、または上述した元
素を成分とする金属窒化物膜（窒化チタン膜、窒化モリブデン膜、窒化タングステン膜な
ど）等を用いることができる。また、Ａｌ、Ｃｕなどの金属膜の下側又は上側の一方また
は双方にＴｉ、Ｍｏ、Ｗなどの高融点金属膜またはそれらの金属窒化物膜（窒化チタン膜
、窒化モリブデン膜、窒化タングステン膜）を積層させた構成としても良い。
【０１３１】
ソース電極層４０５ａ、ドレイン電極層４０５ｂに接続する配線層４３６ａ、配線層４３
６ｂのような導電膜も、ソース電極層４０５ａ、ドレイン電極層４０５ｂと同様な材料を
用いることができる。
【０１３２】
また、ソース電極層４０５ａ、ドレイン電極層４０５ｂ（これと同じ層で形成される配線
層を含む）となる導電膜としては導電性の金属酸化物で形成しても良い。導電性の金属酸
化物としては酸化インジウム（Ｉｎ２Ｏ３）、酸化スズ（ＳｎＯ２）、酸化亜鉛（ＺｎＯ
）、酸化インジウム酸化スズ合金（Ｉｎ２Ｏ３―ＳｎＯ２、ＩＴＯと略記する）、酸化イ
ンジウム酸化亜鉛合金（Ｉｎ２Ｏ３―ＺｎＯ）またはこれらの金属酸化物材料に酸化シリ
コンを含ませたものを用いることができる。
【０１３３】
半導体層の上方に設けられる絶縁膜４０７、４２７、下方に設けられる絶縁層４３７は、
代表的には酸化シリコン膜、酸化窒化シリコン膜、酸化アルミニウム膜、または酸化窒化
アルミニウム膜などの無機絶縁膜を用いることができる。
【０１３４】
また、半導体層の上方に設けられる保護絶縁層４０９は、窒化シリコン膜、窒化アルミニ
ウム膜、窒化酸化シリコン膜、窒化酸化アルミニウム膜などの無機絶縁膜を用いることが
できる。
【０１３５】
また、保護絶縁層４０９上にトランジスタ起因の表面凹凸を低減するために平坦化絶縁膜
を形成してもよい。平坦化絶縁膜としては、ポリイミド樹脂、アクリル樹脂、ベンゾシク
ロブテン樹脂、等の有機材料を用いることができる。また上記有機材料の他に、低誘電率
材料（ｌｏｗ−ｋ材料）等を用いることができる。なお、これらの材料で形成される絶縁
膜を複数積層させることで、平坦化絶縁膜を形成してもよい。
【０１３６】
本実施の形態は、他の実施の形態に記載した構成と適宜組み合わせて実施することが可能
である。
【０１３７】
（実施の形態４）
上記実施の形態３で説明したトランジスタの例において、半導体層４０３に用いる半導体
材料として酸化物半導体を用いる場合には、トランジスタへの光の遮光が重要となる。そ
こで本実施の形態では、液晶表示装置が有する画素の平面図及び断面図の一例について示
し、トランジスタへの光の遮光ができる構造の一例について説明する。なお酸化物半導体
は、化学式ＩｎＭＯ３（ＺｎＯ）ｍ（ｍ＞０）で表記される材料とする。ここで、Ｍは、
Ｇａ、Ａｌ、Ｓｎ、ＭｎおよびＣｏから選ばれた一または複数の金属元素を示す。例えば
Ｍとして、Ｇａ、Ｇａ及びＡｌ、Ｇａ及びＭｎ、またはＧａ及びＣｏなどがある。
【０１３８】
図１５（Ａ）は画素の平面図の一例を示している。図１５（Ｂ）は図１５（Ａ）の一点鎖
線Ａ−Ｂにおける断面図である。
【０１３９】
図１５（Ａ）において、ドレイン電極層１９０１ｂと同じ配線層よりなり、ソース電極層
１９０１ａを含む信号線は、図中上下方向（列方向）に延伸するように配置されている。
走査線となる配線層（ゲート電極層１９０３を含む）は、ソース電極層１９０１ａに概略
直交する方向（図中左右方向（行方向））に延伸するように配置されている。容量配線層
１９０４は、ゲート電極層１９０３に概略平行な方向であって、且つ、ソース電極層１９
０１ａに概略直交する方向（図中左右方向（行方向））に延伸するように配置されている
。
【０１４０】
図１５（Ａ）、（Ｂ）に示す画素には、ゲート電極層１９０３を有するトランジスタ１９
０５が設けられている。また、容量配線層１９０４、ゲート絶縁層１９１２、及びドレイ
ン電極層１９０１ｂが積層して、容量素子１９１５を形成している。トランジスタ１９０
５上には、絶縁膜１９０７及び層間膜１９０９が設けられている。トランジスタ１９０５
上の絶縁膜１９０７及び層間膜１９０９には、開口（コンタクトホール）が形成されてい
る。
【０１４１】
図１５（Ａ）、（Ｂ）に示す画素は、第１の基板１９１８側のトランジスタ１９０５に接
続される電極層として透明電極層１９１０を有し、第２の基板１９１９側に透明電極層１
９２０を有する。透明電極層１９１０は、開口（コンタクトホール）において、トランジ
スタ１９０５と接続される。透明電極層１９１０及び透明電極層１９２０は、液晶層１９
１７を間に挟んで重畳して設けられている。透明電極層１９１０及び透明電極層１９２０
が重畳しない領域では、第２の基板１９１９側に遮光層１９１１（ブラックマトリクス）
が設けられている。
【０１４２】
図１５（Ａ）、（Ｂ）に示すトランジスタ１９０５は、ゲート絶縁層１９１２を介してゲ
ート電極層１９０３上に配置された半導体層１９１３を有し、半導体層１９１３に接して
ソース電極層１９０１ａ及びドレイン電極層１９０１ｂを有する。
【０１４３】
酸化物半導体を用いた半導体層１９１３（酸化物半導体ともいう）に接する絶縁層（本実
施の形態においては、ゲート絶縁層１９１２、絶縁膜１９０７）は、第１３族元素および
酸素を含む絶縁材料を用いることが好ましい。酸化物半導体材料には第１３族元素を含む
ものが多く、第１３族元素を含む絶縁材料は酸化物半導体との相性が良く、これを酸化物
半導体に接する絶縁層に用いることで、酸化物半導体との界面の状態を良好に保つことが
できる。
【０１４４】
第１３族元素を含む絶縁材料とは、絶縁材料に一または複数の第１３族元素を含むことを
意味する。第１３族元素を含む絶縁材料としては、例えば、酸化ガリウム、酸化アルミニ
ウム、酸化アルミニウムガリウム、酸化ガリウムアルミニウムなどがある。ここで、酸化
アルミニウムガリウムとは、ガリウムの含有量（原子％）よりアルミニウムの含有量（原
子％）が多いものを示し、酸化ガリウムアルミニウムとは、ガリウムの含有量（原子％）
がアルミニウムの含有量（原子％）以上のものを示す。
【０１４５】
例えば、ガリウムを含有する酸化物半導体層に接して絶縁層を形成する場合に、絶縁層に
酸化ガリウムを含む材料を用いることで酸化物半導体層と絶縁層の界面特性を良好に保つ
ことができる。例えば、酸化物半導体層と酸化ガリウムを含む絶縁層とを接して設けるこ
とにより、酸化物半導体層と絶縁層の界面における水素のパイルアップを低減することが
できる。なお、絶縁層に酸化物半導体の成分元素と同じ族の元素を用いる場合には、同様
の効果を得ることが可能である。例えば、酸化アルミニウムを含む材料を用いて絶縁層を
形成することも有効である。なお、酸化アルミニウムは、水を透過させにくいという特性
を有しているため、当該材料を用いることは、酸化物半導体層への水の侵入防止という点
においても好ましい。
【０１４６】
また、酸化物半導体を用いた半導体層１９１３に接する絶縁層は、酸素雰囲気下による熱
処理や、酸素ドープなどにより、絶縁材料を化学量論的組成比より酸素が多い状態とする
ことが好ましい。酸素ドープとは、酸素をバルクに添加することをいう。なお、当該バル
クの用語は、酸素を薄膜表面のみでなく薄膜内部に添加することを明確にする趣旨で用い
ている。また、酸素ドープには、プラズマ化した酸素をバルクに添加する酸素プラズマド
ープが含まれる。また、酸素ドープは、イオン注入法またはイオンドーピング法を用いて
行ってもよい。
【０１４７】
例えば、酸化物半導体を用いた半導体層１９１３に接する絶縁層として酸化ガリウムを用
いた場合、酸素雰囲気下による熱処理や、酸素ドープを行うことにより、酸化ガリウムの
組成をＧａ２ＯＸ（Ｘ＝３＋α、０＜α＜１）とすることができる。
【０１４８】
また、酸化物半導体を用いた半導体層１９１３に接する絶縁層として酸化アルミニウムを
用いた場合、酸素雰囲気下による熱処理や、酸素ドープを行うことにより、酸化アルミニ
ウムの組成をＡｌ２ＯＸ（Ｘ＝３＋α、０＜α＜１）とすることができる。
【０１４９】
また、酸化物半導体を用いた半導体層１９１３に接する絶縁層として酸化ガリウムアルミ
ニウム（酸化アルミニウムガリウム）を用いた場合、酸素雰囲気下による熱処理や、酸素
ドープを行うことにより、酸化ガリウムアルミニウム（酸化アルミニウムガリウム）の組
成をＧａＸＡｌ２−ＸＯ３＋α（０＜Ｘ＜２、０＜α＜１）とすることができる。
【０１５０】
酸素ドープ処理を行うことにより、化学量論的組成比より酸素が多い領域を有する絶縁層
を形成することができる。このような領域を備える絶縁層と酸化物半導体層が接すること
により、絶縁層中の過剰な酸素が酸化物半導体層に供給され、酸化物半導体層中、または
酸化物半導体層と絶縁層の界面における酸素不足欠陥を低減し、酸化物半導体層をＩ型化
またはＩ型に限りなく近い酸化物半導体とすることができる。
【０１５１】
なお、化学量論的組成比より酸素が多い領域を有する絶縁層は、酸化物半導体を用いた半
導体層１９１３に接する絶縁層のうち、上層に位置する絶縁層または下層に位置する絶縁
層のうち、どちらか一方のみに用いても良いが、両方の絶縁層に用いる方が好ましい。化
学量論的組成比より酸素が多い領域を有する絶縁層を、酸化物半導体を用いた半導体層１
９１３に接する絶縁層の、上層及び下層に位置する絶縁層に用い、酸化物半導体を用いた
半導体層１９１３を挟む構成とすることで、上記効果をより高めることができる。
【０１５２】
また、酸化物半導体を用いた半導体層１９１３の上層または下層に用いる絶縁層は、上層
と下層で同じ構成元素を有する絶縁層としても良いし、異なる構成元素を有する絶縁層と
しても良い。例えば、上層と下層とも、組成がＧａ２ＯＸ（Ｘ＝３＋α、０＜α＜１）の
酸化ガリウムとしても良いし、上層と下層の一方を組成がＧａ２ＯＸ（Ｘ＝３＋α、０＜
α＜１）の酸化ガリウムとし、他方を組成がＡｌ２ＯＸ（Ｘ＝３＋α、０＜α＜１）の酸
化アルミニウムとしても良い。
【０１５３】
また、酸化物半導体を用いた半導体層１９１３に接する絶縁層は、化学量論的組成比より
酸素が多い領域を有する絶縁層の積層としても良い。例えば、酸化物半導体を用いた半導
体層１９１３の上層に組成がＧａ２ＯＸ（Ｘ＝３＋α、０＜α＜１）の酸化ガリウムを形
成し、その上に組成がＧａＸＡｌ２−ＸＯ３＋α（０＜Ｘ＜２、０＜α＜１）の酸化ガリ
ウムアルミニウム（酸化アルミニウムガリウム）を形成してもよい。なお、酸化物半導体
を用いた半導体層１９１３の下層を、化学量論的組成比より酸素が多い領域を有する絶縁
層の積層としても良いし、酸化物半導体を用いた半導体層１９１３の上層及び下層の両方
を、化学量論的組成比より酸素が多い領域を有する絶縁層の積層としても良い。
【０１５４】
加えて、図１５（Ａ）に示す平面図においては、ゲート電極層１９０３が半導体層１９１
３の下側を覆う形で配置されており、遮光層１９１１が半導体層１９１３の上側を覆う形
で配置される。従って、トランジスタ１９０５は上側及び下側で光の遮光ができる構造と
することができる。当該遮光により、トランジスタ特性の劣化を低減することができる。
【０１５５】
次いで図１６（Ａ）には、図１５（Ａ）とは異なる画素の平面図の一例を示している。図
１６（Ｂ）は図１６（Ａ）の一点鎖線Ｃ−Ｄにおける断面図である。なお図１６（Ａ）、
（Ｂ）に付した各構成の符号については、図１５（Ａ）、（Ｂ）と同様であり、説明を省
略するものとする。
【０１５６】
図１６（Ａ）、（Ｂ）に示す平面図及び断面図の構成では、図１５（Ａ）、（Ｂ）に示す
平面図及び断面図の構成と異なり、ソース電極層１９０１ａ及びドレイン電極層１９０１
ｂは、半導体層１９１３のチャネル形成領域となる以外の領域を覆うように配置する。従
って、トランジスタ１９０５は半導体層１９１３の端部においても光の遮光ができる構造
とすることができる。当該遮光により、トランジスタ特性の劣化を低減することができる
。
【０１５７】
次いで図１７（Ａ）には、図１５（Ａ）、図１６（Ａ）とは異なる画素の平面図の一例を
示している。図１７（Ｂ）は図１７（Ａ）の一点鎖線Ｅ−Ｆにおける断面図である。なお
図１７（Ａ）、（Ｂ）に付した各構成の符号については、図１５（Ａ）、（Ｂ）と同様で
あり、説明を省略するものとする。
【０１５８】
図１７（Ａ）、（Ｂ）に示す平面図及び断面図の構成では、図１５（Ａ）、（Ｂ）に示す
平面図及び断面図の構成と同様に、ゲート電極層１９０３が半導体層１９１３の下側を覆
う形で配置されており、遮光層１９１１が半導体層１９１３の上側を覆う形で配置される
。加えて図１７（Ａ）、（Ｂ）に示す平面図及び断面図の構成では、図１６（Ａ）、（Ｂ
）に示す平面図及び断面図の構成と同様に、ソース電極層１９０１ａ及びドレイン電極層
１９０１ｂは、半導体層１９１３のチャネル形成領域となる以外の領域を覆うよう配置す
る。従って、トランジスタ１９０５は上側及び下側で光の遮光ができる構造であり、且つ
半導体層１９１３の端部においても光の遮光ができる構造とすることができる。当該遮光
により、トランジスタ特性の劣化を低減することができる。
【０１５９】
本実施の形態は、他の実施の形態に記載した構成と適宜組み合わせて実施することが可能
である。
【０１６０】
（実施の形態５）
本実施の形態では、本発明の一態様に係る液晶表示装置において用いられる、基板の一形
態について説明する。
【０１６１】
まず、作製基板６２００上に、剥離層６２０１を介して、被剥離層６１１６を形成する（
図２０（Ａ）参照）。
【０１６２】
作製基板６２００としては、石英基板、サファイア基板、セラミック基板や、ガラス基板
、金属基板などを用いることができる。なお、これら基板は、可撓性を明確に表さない程
度に厚みのあるものを使用することで、精度良くトランジスタなどの素子を形成すること
ができる。可撓性を明確に表さない程度とは、通常液晶ディスプレイを作製する際に使用
されているガラス基板の弾性率程度、もしくはより弾性率が大きいことを言う。
【０１６３】
剥離層６２０１は、スパッタリング法やプラズマＣＶＤ法、塗布法、印刷法等により、タ
ングステン（Ｗ）、モリブデン（Ｍｏ）、チタン（Ｔｉ）、タンタル（Ｔａ）、ニオブ（
Ｎｂ）、ニッケル（Ｎｉ）、コバルト（Ｃｏ）、ジルコニウム（Ｚｒ）、亜鉛（Ｚｎ）、
ルテニウム（Ｒｕ）、ロジウム（Ｒｈ）、パラジウム（Ｐｄ）、オスミウム（Ｏｓ）、イ
リジウム（Ｉｒ）、珪素（Ｓｉ）から選択された元素、又は元素を主成分とする合金材料
、又は元素を主成分とする化合物材料からなる層を、単層又は積層して形成する。
【０１６４】
剥離層６２０１が単層構造の場合、好ましくは、タングステン層、モリブデン層、又はタ
ングステンとモリブデンの混合物を含む層を形成する。又は、タングステンの酸化物若し
くは酸化窒化物を含む層、モリブデンの酸化物若しくは酸化窒化物を含む層、又はタング
ステンとモリブデンの混合物の酸化物若しくは酸化窒化物を含む層を形成する。なお、タ
ングステンとモリブデンの混合物とは、例えば、タングステンとモリブデンの合金に相当
する。
【０１６５】
剥離層６２０１が積層構造の場合、好ましくは、１層目として金属層を形成し、２層目と
して金属酸化物層を形成する。代表的には１層目としてタングステン層、モリブデン層、
又はタングステンとモリブデンの混合物を含む層を形成し、２層目として、タングステン
、モリブデン又はタングステンとモリブデンの混合物の酸化物、窒化物、酸化窒化物又は
窒化酸化物を形成すると良い。２層目の金属酸化物層の形成は、１層目の金属層上に、酸
化物層（例えば酸化シリコンなどの絶縁層として利用できるもの）を形成することで金属
層表面に当該金属の酸化物が形成されることを応用しても良い。
【０１６６】
被剥離層６１１６としては、トランジスタや層間絶縁膜、配線、画素電極及び場合に応じ
て共通電極やカラーフィルター、ブラックマトリクス、配向膜など、素子基板として必要
な要素が含まれる。これらは、剥離層６２０１上に、通常通り作製することができる。こ
のように、トランジスタや電極は公知の材料や方法を用いて精度良く作製することができ
る。
【０１６７】
次いで、剥離用接着剤６２０３を用いて被剥離層６１１６を仮支持基板６２０２に接着し
た後、被剥離層６１１６を作製基板６２００の剥離層６２０１から剥離して転置する（図
２０（Ｂ）参照）。これにより被剥離層６１１６は、仮支持基板側に設けられる。なお、
本明細書において、作製用基板から仮支持基板に被剥離層を転置する工程を転置工程とい
う。
【０１６８】
仮支持基板６２０２は、ガラス基板、石英基板、サファイア基板、セラミック基板、金属
基板などを用いることができる。また、以降の処理温度に耐えうる耐熱性を有するプラス
チック基板を用いても良い。
【０１６９】
また、ここで用いる剥離用接着剤６２０３は、水や溶媒に可溶なものや、紫外線などの照
射により可塑化させることが可能であるような、必要時に仮支持基板６２０２と被剥離層
６１１６とを分離することが可能な接着剤を用いる。
【０１７０】
なお、仮支持基板６２０２への転置工程は、様々な方法を適宜用いることができる。例え
ば、剥離層６２０１として、被剥離層と接する側に金属酸化膜を含む膜を形成した場合は
、当該金属酸化膜を結晶化させることにより脆弱化して、被剥離層６１１６を作製基板か
ら剥離することができる。また、作製基板６２００と被剥離層６１１６の間に、剥離層６
２０１として水素を含む非晶質珪素膜を形成した場合は、レーザ光の照射またはエッチン
グにより当該水素を含む非晶質珪素膜を除去して、被剥離層６１１６を作製基板６２００
から剥離することができる。また、剥離層６２０１として窒素、酸素や水素等を含む膜（
例えば、水素を含む非晶質珪素膜、水素含有合金膜、酸素含有合金膜など）を用いた場合
には、剥離層６２０１にレーザ光を照射して剥離層６２０１内に含有する窒素、酸素や水
素をガスとして放出させ、被剥離層６１１６と作製基板６２００との分離を促進すること
ができる。他の方法として、剥離層６２０１と被剥離層６１１６との界面に液体を浸透さ
せて作製基板６２００から被剥離層６１１６を剥離してもよい。剥離層６２０１をタング
ステンで形成し、アンモニア水と過酸化水素水の混合溶液により剥離層６２０１をエッチ
ングしながら剥離を行う方法もある。
【０１７１】
また、上記剥離方法を複数組み合わせることでより容易に剥離工程を行うことができる。
レーザ光の照射、ガスや溶液などによる剥離層へのエッチング、鋭いナイフやメスなどに
よる機械的な除去を部分的に行い、剥離層と被剥離層とを剥離しやすい状態にしてから、
物理的な力（機械等による）によって剥離を行う工程などがこれに当たる。剥離層６２０
１を金属と金属酸化物との積層構造により形成した場合、レーザ光の照射によって形成さ
れる溝や鋭いナイフやメスなどによる傷などをきっかけとして、剥離層から物理的に引き
剥がすことも容易となる。
【０１７２】
また、これら剥離を行う際に水などの液体をかけながら剥離してもよい。
【０１７３】
被剥離層６１１６を作製基板６２００から分離する方法としては、他に、被剥離層６１１
６が形成された作製基板６２００を、機械的に研磨などを行って除去する方法や、溶液や
ＮＦ３、ＢｒＦ３、ＣｌＦ３等のフッ化ハロゲンガスによるエッチングで除去する方法等
も用いることができる。この場合は、剥離層６２０１を設けなくとも良い。
【０１７４】
続いて、作製基板６２００から剥離され、露出した剥離層６２０１、若しくは被剥離層６
１１６表面に剥離用接着剤６２０３とは異なる接着剤による第１の接着剤層６１１１を用
いて転置基板６１１０を接着する（図２０（Ｃ）参照）。
【０１７５】
第１の接着剤層６１１１の材料としては、紫外線硬化型接着剤など光硬化型の接着剤、反
応硬化型接着剤、熱硬化型接着剤、または嫌気型接着剤など各種硬化型接着剤を用いるこ
とができる。
【０１７６】
転置基板６１１０としては、じん性が大きい各種基板を用い、例えば、有機樹脂のフィル
ムや金属基板などを好適に使用することができる。じん性の大きい基板は耐衝撃性に優れ
、破損し難い基板である。有機樹脂のフィルムは軽量であり、また、金属基板も薄いもの
は軽量であることから、通常のガラス基板を使用する場合と比較して、大幅な軽量化が可
能となる。このような基板を用いることによって、軽く、破損しにくい表示装置を作製す
ることができるようになる。
【０１７７】
透過型もしくは半透過型の表示装置の場合には、転置基板６１１０としては、じん性が
大きく且つ可視光に対する透光性を有する基板を用いれば良い。このような基板を構成す
る材料としては、例えば、ポリエチレンテレフタレート（ＰＥＴ）又はポリエチレンナフ
タレート（ＰＥＮ）等のポリエステル樹脂、ポリメチルメタクリレート樹脂等のアクリル
樹脂、ポリアクリロニトリル樹脂、ポリイミド樹脂、ポリカーボネート樹脂（ＰＣ）、ポ
リエーテルスルフォン樹脂（ＰＥＳ）、ポリアミド樹脂、シクロオレフィン樹脂、ポリス
チレン樹脂、ポリアミドイミド樹脂、ポリ塩化ビニル樹脂等などが挙げられる。これら有
機樹脂からなる基板は、じん性が大きいことから、耐衝撃性にも優れ、破損しにくい基板
である。また、これら有機樹脂のフィルムは軽量であることから、通常のガラス基板と比
較して、非常に軽量化された表示装置を作製することが可能となる。また、この場合、転
置基板６１１０は、少なくとも各画素の光が透過する領域と重なる部分に開口が設けられ
た金属板６２０６をさらに備えることが好ましい構成である。この構成とすることによっ
て、寸法変化を抑制しながらじん性が大きく、耐衝撃性が高く破損しにくい転置基板６１
１０を構成できる。さらに、金属板６２０６の厚さを薄くすることで、従来のガラス基板
よりも軽い転置基板６１１０を構成できる。このような基板を用いることによって、軽く
、破損しにくい表示装置を作製することができるようになる。（図２０（Ｄ）参照）。
【０１７８】
図２１（Ａ）は液晶表示装置における上面図の一例である。図２１（Ａ）のように、第１
の配線層６２１０と第２の配線層６２１１とが交差し、第１の配線層６２１０と第２の配
線層６２１１に囲まれた領域が光の透過する領域６２１２である表示装置の場合、図２１
（Ｂ）のように、第１の配線層６２１０及び第２の配線層６２１１と重なる部分が残り、
碁盤の目状に開口が設けられた金属板６２０６を用いれば良い。このような金属板６２０
６を貼り合わせて用いることにより、有機樹脂からなる基板を用いたことによる合わせ精
度の悪化や基板の伸びによる寸法変化を抑制することができる。なお、偏光板（図示せず
）が必要な場合には、転置基板６１１０と金属板６２０６の間に設けても、金属板６２０
６のさらに外側に設けても良い。偏光板はあらかじめ金属板６２０６に貼り付けられてい
ても良い。なお、軽量化の観点からは、金属板６２０６として上記寸法安定化の効果を奏
する範囲内において薄い基板を採用することが好ましい。
【０１７９】
その後、被剥離層６１１６から仮支持基板６２０２を分離する。剥離用接着剤６２０３は
必要時に仮支持基板６２０２と被剥離層６１１６とを分離することが可能な材料で形成さ
れているので、当該材料に合った方法により仮支持基板６２０２を分離すれば良い。なお
、バックライトは図面矢印のように照射される（図２０（Ｅ）参照）。
【０１８０】
以上により、トランジスタから画素電極までが形成された被剥離層６１１６（必要に応じ
て共通電極、カラーフィルター、ブラックマトリクス、配向膜などが設けられていても良
い）を転置基板６１１０上に作製することができ、軽量かつ耐衝撃性の高い素子基板を作
製することができる。
【０１８１】
＜変形例＞
上述した構成を有する表示装置は、本発明の一態様であり、当表示装置と異なる構成を
備える以下の表示装置も、本発明に含まれる。上述の転置工程（図２０（Ｂ））の後、転
置基板６１１０を貼り付ける前に、露出した剥離層６２０１、若しくは被剥離層６１１６
表面に、金属板６２０６を貼り付けても良い（図２０（Ｃ’）参照）。この場合、金属板
６２０６からの汚染物質が、被剥離層６１１６におけるトランジスタの特性に悪影響を及
ぼすことを防ぐため、バリア層６２０７を間に設けると良い。バリア層６２０７を設ける
場合は、露出した剥離層６２０１、若しくは被剥離層６１１６表面にバリア層６２０７を
設けてから、金属板６２０６を貼り付ければ良い。バリア層６２０７はバリア膜は無機材
料や有機材料などにより形成すれば良く、代表的には窒化シリコンなどが挙げられるが、
トランジスタの汚染を防止することができれば、これらに限られることはない。バリア膜
は透光性を有する材料で形成するか、もしくは透光性を有する程度に薄い膜とするなど、
少なくとも可視光に対する透光性を有するように作製する。なお、金属板６２０６は、剥
離用接着剤６２０３とは異なる接着剤を用いて第２の接着剤層（図示せず）を形成し、接
着すればよい。
【０１８２】
この後、第１の接着剤層６１１１を金属板６２０６表面に形成し、転置基板６１１０を貼
り付け（図２０（Ｄ’））、被剥離層６１１６から仮支持基板６２０２を分離する（図２
０（Ｅ’））ことにより、同様に軽量且つ耐衝撃性の高い素子基板を作製することができ
る。なお、バックライトは図面矢印のように照射される。
【０１８３】
このように作製した軽量かつ耐衝撃性の高い素子基板と、対向基板とを液晶層を間に挟持
させてシール材で固着することによって、軽量かつ耐衝撃性の高い液晶表示装置を作製す
ることができる。対向基板としては、じん性が大きく、可視光に対する透光性を有する基
板（転置基板６１１０に用いることが可能なプラスチック基板と同様のもの）を用いるこ
とができる。必要に応じてこれに偏光板、カラーフィルター、ブラックマトリクスや共通
電極及び配向膜が設けられていても良い。液晶層を形成する方法としては、従来同様ディ
スペンサ法や注入法などを適用することができる。
【０１８４】
以上のように作製された軽量かつ耐衝撃性の高い液晶表示装置は、トランジスタなどの微
細な素子の作製を、寸法安定性が比較的良好なガラス基板上などで行うことができ、また
、従来どおりの作製方法の適用が可能であることから、微細な素子であっても精度良く形
成することができる。このため、耐衝撃性を有しながらも、高精細で高品質な画像を提供
でき、且つ軽量な液晶表示装置を提供することが可能となる。
【０１８５】
さらに、上記のように作製した液晶表示装置は、可撓性を有せしめることも可能である。
【０１８６】
本実施の形態は、他の実施の形態に記載した構成と適宜組み合わせて実施することが可能
である。
【０１８７】
（実施の形態６）
本明細書に開示する液晶表示装置は、さまざまな電子機器（遊技機も含む）に適用するこ
とができる。電子機器としては、例えば、テレビジョン装置（テレビ、またはテレビジョ
ン受信機ともいう）、コンピュータ用などのモニタ、デジタルカメラ、デジタルビデオカ
メラ等のカメラ、デジタルフォトフレーム、携帯電話機（携帯電話、携帯電話装置ともい
う）、携帯型ゲーム機、携帯情報端末、音響再生装置、パチンコ機などの大型ゲーム機な
どが挙げられる。上記実施の形態で説明した液晶表示装置を具備する電子機器の例につい
て説明する。
【０１８８】
図１３（Ａ）は、電子書籍の一例を示している。図１３（Ａ）に示す電子書籍は、筐体１
７００及び筐体１７０１の２つの筐体で構成されている。筐体１７００及び筐体１７０１
は、蝶番１７０４により一体になっており、開閉動作を行うことができる。このような構
成により、書籍のような動作を行うことが可能となる。
【０１８９】
筐体１７００には表示部１７０２が組み込まれ、筐体１７０１には表示部１７０３が組み
込まれている。表示部１７０２及び表示部１７０３は、続き画面を表示する構成としても
よいし、異なる画面を表示する構成としてもよい。異なる画面を表示する構成とすること
で、例えば右側の表示部（図１３（Ａ）では表示部１７０２）に文章を表示し、左側の表
示部（図１３（Ａ）では表示部１７０３）に画像を表示することができる。
【０１９０】
また、図１３（Ａ）では、筐体１７００に操作部等を備えた例を示している。例えば、筐
体１７００は、電源入力端子１７０５、操作キー１７０６、スピーカ１７０７等を備えて
いる。操作キー１７０６により、頁を送ることができる。なお、筐体の表示部と同一面に
キーボードやポインティングディバイス等を備える構成としてもよい。また、筐体の裏面
や側面に、外部接続用端子（イヤホン端子、ＵＳＢ端子、及びＵＳＢケーブル等の各種ケ
ーブルと接続可能な端子等）、記録媒体挿入部等を備える構成としてもよい。さらに、図
１３（Ａ）に示す電子書籍は、電子辞書としての機能を持たせた構成としてもよい。
【０１９１】
図１３（Ｂ）は、液晶表示装置を用いたデジタルフォトフレームの一例を示している。例
えば、図１３（Ｂ）に示すデジタルフォトフレームは、筐体１７１１に表示部１７１２が
組み込まれている。表示部１７１２は、各種画像を表示することが可能であり、例えば、
デジタルカメラ等で撮影した画像データを表示させることで、通常の写真立てと同様に機
能させることができる。
【０１９２】
なお、図１３（Ｂ）に示すデジタルフォトフレームは、操作部、外部接続用端子（ＵＳＢ
端子、ＵＳＢケーブル等の各種ケーブルと接続可能な端子等）、記録媒体挿入部等を備え
る構成とする。これらの構成は、表示部と同一面に組み込まれていてもよいが、側面や裏
面に備えるとデザイン性が向上するため好ましい。例えば、デジタルフォトフレームの記
録媒体挿入部に、デジタルカメラで撮影した画像データを記憶したメモリを挿入して画像
データを取り込み、取り込んだ画像データを表示部１７１２に表示させることができる。
【０１９３】
図１３（Ｃ）は、液晶表示装置を用いたテレビジョン装置の一例を示している。図１３（
Ｃ）に示すテレビジョン装置は、筐体１７２１に表示部１７２２が組み込まれている。表
示部１７２２により、映像を表示することが可能である。また、ここでは、スタンド１７
２３により筐体１７２１を支持した構成を示している。表示部１７２２は、上記実施の形
態に示した液晶表示装置を適用することができる。
【０１９４】
図１３（Ｃ）に示すテレビジョン装置の操作は、筐体１７２１が備える操作スイッチや、
別体のリモコン操作機により行うことができる。リモコン操作機が備える操作キーにより
、チャンネルや音量の操作を行うことができ、表示部１７２２に表示される映像を操作す
ることができる。また、リモコン操作機に、当該リモコン操作機から出力する情報を表示
する表示部を設ける構成としてもよい。
【０１９５】
図１３（Ｄ）は、液晶表示装置を用いた携帯電話機の一例を示している。図１３（Ｄ）に
示す携帯電話機は、筐体１７３１に組み込まれた表示部１７３２の他、操作ボタン１７３
３、操作ボタン１７３７、外部接続ポート１７３４、スピーカ１７３５、及びマイク１７
３６等を備えている。
【０１９６】
図１３（Ｄ）に示す携帯電話機は、表示部１７３２がタッチパネルになっており、指等の
接触により、表示部１７３２の表示内容を操作することができる。また、電話の発信、或
いはメールの作成等は、表示部１７３２を指等で接触することにより行うことができる。
【０１９７】
本実施の形態は、他の実施の形態に記載した構成と適宜組み合わせて実施することが可能
である。
【符号の説明】
【０１９８】
１０    画素部
１１    走査線駆動回路
１２    信号線駆動回路
１５    画素
１６    光源
１０１    バックライト部
１０２    表示パネル
１０３    偏光板
１０４    偏光板
１０６    拡散板
１０７    画素部
１０８    走査線駆動回路
１０９    信号線駆動回路
１１１    シフトレジスタ
１１２    シフトレジスタ
１１３    シフトレジスタ
１２０    シフトレジスタ
１２１    トランジスタ
１２２    トランジスタ
１２３    トランジスタ
１３１    走査線
１３２    走査線
１３３    走査線
１４１    信号線
１４２    信号線
１４３    信号線
１５１    トランジスタ
１５２    トランジスタ
１５３    トランジスタ
１５４    容量素子
１５５    液晶素子
１６１    ＦＰＣ
１６２    外部基板
１８１    表示パネル
１８２    バックライト部
１８３    映像信号選択回路
１８４    コントロール回路
１８５    順序決定回路
１８６    乱数発生回路
１８７    画素部
１８８    走査線駆動回路
１８９    信号線駆動回路
１９０    画素
１９１    光源
１９２    バックライト制御回路
１９３    記憶回路
４００    基板
４０１    ゲート電極層
４０２    ゲート絶縁層
４０３    半導体層
４０７    絶縁膜
４０９    保護絶縁層
４１０    トランジスタ
４２０    トランジスタ
４２７    絶縁層
４３０    トランジスタ
４３７    絶縁層
４４０    トランジスタ
７００    一点鎖線
７０１    一点鎖線
７０２    一点鎖線
７０３    一点鎖線
１００１    一点鎖線
１００２    一点鎖線
１００３    一点鎖線
１０５Ｒ    光源
１７００    筐体
１７０１    筐体
１７０２    表示部
１７０３    表示部
１７０４    蝶番
１７０５    電源入力端子
１７０６    操作キー
１７０７    スピーカ
１７１１    筐体
１７１２    表示部
１７２１    筐体
１７２２    表示部
１７２３    スタンド
１７３１    筐体
１７３２    表示部
１７３３    操作ボタン
１７３４    外部接続ポート
１７３５    スピーカ
１７３６    マイク
１７３７    操作ボタン
４０５ａ    ソース電極層
４０５ｂ    ドレイン電極層
４３６ａ    配線層
４３６ｂ    配線層
１９０１ａ    ソース電極層
１９０１ｂ    ドレイン電極層
１９０３    ゲート電極層
１９０４    容量配線層
１９０５    トランジスタ
１９１２    ゲート絶縁層
１９１５    容量素子
１９０７    絶縁膜
１９０９    層間膜
１９１８    第１の基板
１９１０    透明電極層
１９１９    第２の基板
１９２０    透明電極層
１９１７    液晶層
１９１１    遮光層
１９１３    半導体層
６１１０    転置基板
６１１１    接着剤層
６１１６    被剥離層
６２００    作製基板
６２０１    剥離層
６２０２    仮支持基板
６２０３    剥離用接着剤
６２０６    金属板
６２０７    バリア層
６２１０    配線層
６２１１    配線層
６２１２    光の透過する領域
【図１】
2016053729.tif 000008
【図２】
2016053729.tif 000009
【図３】
2016053729.tif 000010
【図４】
2016053729.tif 000011
【図５】
2016053729.tif 000012
【図６】
2016053729.tif 000013
【図７】
2016053729.tif 000014
【図８】
2016053729.tif 000015
【図９】
2016053729.tif 000016
【図１０】
2016053729.tif 000017
【図１１】
2016053729.tif 000018
【図１２】
2016053729.tif 000019
【図１３】
2016053729.tif 000020
【図１４】
2016053729.tif 000021
【図１５】
2016053729.tif 000022
【図１６】
2016053729.tif 000023
【図１７】
2016053729.tif 000024
【図１８】
2016053729.tif 000025
【図１９】
2016053729.tif 000026
【図２０】
2016053729.tif 000027
【図２１】
2016053729.tif 000028